(57)【特許請求の範囲】
【請求項１】
水平方向に延びる観察領域の内側における水平方向の位置に応じて複数の視点用の画像が観察可能な立体画像表示装置であって、
前記観察領域における或る視点の画像と前記観察領域の端部から外側に延在し隣接する他の観察領域における前記或る視点とは異なる他の視点の画像とを対として視認すると逆視関係となる場合に、逆視関係となる前記画像の対の間での視差量の絶対値を小さくするように、前記或る視点の画像と前記他の視点の画像の双方若しくは一方を、前記複数の視点用の画像データのうち少なくとも２つを組み合わせたデータに基づいて表示する、
立体画像表示装置。
【請求項２】
前記或る視点の画像と前記他の視点の画像の双方若しくは一方を、前記或る視点用の画像データと前記他の視点用の画像データとのいずれとも異なる視点用のデータのうち少なくとも２つを組み合わせたデータに基づいて表示する、
請求項１に記載の立体画像表示装置。
【請求項３】
前記複数の視点用の画像データのうち少なくとも２つを組み合わせたデータに基づいて表示される画像は、組み合わせとなる画像データの要素が交互にストライプ状に配列されて成る、
請求項１または請求項２に記載の立体画像表示装置。
【請求項４】
前記複数の視点用の画像データのうち少なくとも２つを組み合わせたデータに基づいて表示される画像は、組み合わせとなる画像データの要素が市松模様状に配列されて成る、
請求項１または請求項２に記載の立体画像表示装置。
【請求項５】
水平方向に延びる観察領域の内側における水平方向の位置に応じて複数の視点用の画像が観察可能な立体画像表示装置であって、
前記観察領域における或る視点の画像と前記観察領域の端部から外側に延在し隣接する他の観察領域における前記或る視点とは異なる他の視点の画像とを対として視認すると逆視関係となる場合に、逆視関係となる前記画像の対の間での視差量の絶対値を小さくするように、前記或る視点の画像と前記他の視点の画像の双方若しくは一方を、前記複数の視点用の画像データのうち少なくとも２つを平均したデータに基づいて表示する、
立体画像表示装置。
【請求項６】
前記或る視点の画像と前記他の視点の画像の双方若しくは一方を、前記或る視点用の画像データと前記他の視点用の画像データとのいずれとも異なる視点用のデータのうち少なくとも２つを平均したデータに基づいて表示する、
請求項５に記載の立体画像表示装置。
【請求項７】
水平方向に延びる観察領域の内側における水平方向の位置に応じて複数の視点用の画像が観察可能な立体画像表示装置であって、
前記観察領域における或る視点の画像と前記観察領域の端部から外側に延在し隣接する他の観察領域における前記或る視点とは異なる他の視点の画像とを対として視認すると逆視関係となる場合に、逆視関係となる前記画像の対の間での視差量の絶対値を小さくするように、前記或る視点の画像と前記他の視点の画像の双方若しくは一方を、前記複数の視点用の画像データのうち少なくとも２つを時分割で表示することによって形成する、
立体画像表示装置。
【請求項８】
前記或る視点の画像と前記他の視点の画像の双方若しくは一方を、前記或る視点用の画像データと前記他の視点用の画像データとのいずれとも異なる視点用のデータのうち少なくとも２つを時分割で表示することによって形成する、
請求項７に記載の立体画像表示装置。
【発明の詳細な説明】
【技術分野】
【０００１】
本発明は立体画像表示装置に関する。より詳しくは、いわゆる逆視に起因する不自然さや不快感を軽減することができる立体画像表示装置に関する。
【背景技術】
【０００２】
視差のある２つの画像を画像観察者が観察することで立体視を実現する立体画像表示装置が、種々、知られている。立体画像表示装置の方式は、眼鏡によって視差画像を左右の眼に分離して入力する眼鏡方式と、眼鏡を使用することなく視差画像を左右の眼に入力する裸眼方式とに大別される。
【０００３】
裸眼方式の立体画像表示装置として、パララックスバリア（視差バリア）若しくはレンズ列を備えたレンズシートから成る光学分離部と画像表示部（２次元画像表示装置）とを組み合わせた立体画像表示装置の実用化が進められている。
【０００４】
例えば、光学分離部としてパララックスバリアを用いた立体画像表示装置は、通常、水平方向（横方向）及び垂直方向（縦方向）に２次元マトリクス状に配置された複数の画素を備えた表示パネル等から成る画像表示部と、実質的に垂直方向に延びる開口を備えたパララックスバリアとから構成されている。
【０００５】
光学分離部を備えた立体画像表示装置は、例えば特開平５−１２２７３３号公報（特許文献１）の図７に示すように光学分離部が画像表示部と画像観察者との間に配置されるものと、例えば特許３５６５３９１号公報（特許文献２）の図１０に示すように、画像表示部が透過型液晶表示パネル等といった画像表示部と照明部とを備えており、光学分離部が画像表示部と照明部との間に配置されるものに大別される。
【０００６】
光学分離部が画像表示部と照明部との間に配置される立体画像表示装置の概念図を、図６０の（Ａ）及び（Ｂ）に示す。光学分離部は、図６０の（Ａ）にあってはパララックスバリアから成り、図６０の（Ｂ）にあっては凸の円柱レンズ列を備えたレンズシート（レンチキュラーレンズ）から成る。また、光学分離部が画像表示部と画像観察者との間に配置される立体画像表示装置の概念図を、図６１の（Ａ）及び（Ｂ）に示す。光学分離部は、図６１の（Ａ）にあってはパララックスバリアから成り、図６１の（Ｂ）にあってはレンチキュラーレンズから成る。
【０００７】
図６０の（Ａ）に示すように、符号Ｌ２，Ｌ４，Ｌ６，Ｌ８，Ｌ１０を付した画素群から出射された光線群は視点１に達し、符号Ｒ１，Ｒ３，Ｒ５，Ｒ７，Ｒ９を付した画素群から出射された光線群は視点２に達する。このように、画像表示部からから所定距離をおいた位置にあっては、視点１の画像と視点２の画像とが交互に観察される。図６０の（Ｂ）や図６１の（Ａ）及び（Ｂ）においても同様である。
【０００８】
ここで、画像観察者の左眼と右眼のそれぞれが視点１と視点２とに位置するとする。符号Ｌ２，Ｌ４，Ｌ６，Ｌ８，Ｌ１０を付した画素群によって左眼用の画像を表示し、符号Ｒ１，Ｒ３，Ｒ５，Ｒ７，Ｒ９を付した画素群によって右眼用の画像を表示すれば、画像観察者は、画像を立体画像として認識する。即ち、画像観察者は、左眼に視点１の画像を受け右眼に視点２の画像を受ける領域内に位置するとき、画像を立体画像として認識する。
【０００９】
しかしながら、画像観察者が移動し、視点２の画像を左眼に受け視点１の画像を右眼に受ける領域内に位置すると、左眼用の画像と右眼用の画像が入れ替わって見える「逆視」といった状態が生ずる。画像観察者は手前と奥とが反転した画像を知覚することになり、不自然さや不快感を覚える。
【００１０】
逆視に起因する不自然さや不快感を軽減する試みとして、例えば特開２０００−４７１３９号公報（特許文献３）には、画像観察者の位置を検出して光学分離部に相当する光変調器のマスクパターンのパターン形状を変化させるといった立体画像表示装置や、画像観察者の位置を検出して画像表示部に表示する画像の内容を変化させるといった立体画像表示装置が提案されている。
【先行技術文献】
【特許文献】
【００１１】
【特許文献１】特開平５−１２２７３３号公報
【特許文献２】特許３５６５３９１号公報
【特許文献３】特開２０００−４７１３９号公報
【発明の概要】
【発明が解決しようとする課題】
【００１２】
画像観察者の位置を検出して画像表示部や光学分離部を制御するといった構成の立体画像表示装置は、構成や制御が複雑となりコストも高い。また、複数の画像観察者が異なる位置から１つの立体画像表示装置を観察するといったときには、制御が難しくなるといった問題がある。
【００１３】
従って、本発明の目的は、構成や制御が複雑にならず、複数の画像観察者が異なる位置から１つの立体画像表示装置を観察するといった場合においても、逆視に起因する不自然さや不快感を支障なく軽減することができる立体画像表示装置を提供することにある。
【課題を解決するための手段】
【００１４】
上記の目的を達成するための本発明の第１の態様に係る立体画像表示装置は、複数の観察領域のそれぞれにおいて各視点用の画像が観察可能な立体画像表示装置であって、観察領域の端部付近において逆視関係となる画像の対の双方若しくは一方を、視点用の画像データとは異なるデータを用いて表示する立体画像表示装置である。
【００１５】
上記の目的を達成するための本発明の第２の態様に係る立体画像表示装置は、複数の観察領域のそれぞれにおいて各視点用の画像が観察可能な立体画像表示装置であって、観察領域の端部付近において逆視関係となる画像の対の双方若しくは一方を、複数種の画像データを時分割で表示することによって形成する立体画像表示装置である。
【発明の効果】
【００１６】
本発明の第１の態様あるいは第２の態様に係る立体画像表示装置にあっては、画像観察者の位置を検出して画像表示部等を制御するといったことなく、観察領域の端部付近における逆視の程度を緩和することができる。そして、複数の画像観察者が異なる位置から１つの立体画像表示装置を観察するといった場合においても、逆視に起因する不自然さや不快感を支障なく軽減することができる。
【図面の簡単な説明】
【００１７】
【図１】図１は、各実施形態に用いられる立体画像表示装置を仮想的に分離したときの模式的な斜視図である。
【図２】図２は、立体画像表示装置における開口部と副画素との配置関係を説明するための、光学分離部及び表示領域の一部の模式的な平面図である。
【図３】図３は、図１に示す観察領域における視点Ａ1乃至Ａ9と、画像表示部と、光学分離部と、照明部との配置関係を説明するための模式的な平面図である。
【図４】図４は、副画素からの光が中央の観察領域の視点Ａ1乃至Ａ9に向かうために満たす条件を説明するための模式図である。
【図５】図５は、副画素からの光が右側の観察領域の視点Ａ1乃至Ａ9に向かうために満たす条件を説明するための模式図である。
【図６】図６は、中央の観察領域における視点Ａ1乃至Ａ9で観察される画像を説明するための模式図である。
【図７】図７は、右側の観察領域における視点Ａ1乃至Ａ9で観察される画像を説明するための模式図である。
【図８】図８は、各実施形態に用いられる立体画像表示装置において各視点用の画像の画素を構成する副画素を説明するための、光学分離部及び表示領域の一部の模式的な平面図である。
【図９】図９は、第（１，１）番目乃至第（Ｍ，Ｎ）番目の副画素からの光が向かう視点を示す表である。
【図１０】図１０は、視点Ａ4用の画像を構成する副画素の組の配列を説明するための表である。
【図１１】図１１は、視点Ａ5用の画像を構成する副画素の組の配列を説明するための表である。
【図１２】図１２の（Ａ）は、視点Ａ4において観察される画像を構成する画素の配置を説明するための模式的な平面図である。図１２の（Ｂ）は、視点Ａ5において観察される画像を構成する画素の配置を説明するための模式的な平面図である。
【図１３】図１３は、視点Ａ1乃至Ａ9のそれぞれに対応する画像データＤ1乃至Ｄ9に基づいて多視点画像表示データを生成する方法を説明するための模式図である。
【図１４】図１４は、第ｍ列、第ｎ行目の副画素１２(m,n)に対応する画像データの選択方法を説明するための模式的なフローチャート図である。
【図１５】図１５は、第（１，１）番目乃至第（Ｍ，Ｎ）番目の副画素からの光が向かう視点ＡQにおける「Ｑ」の値を説明するための表である。
【図１６】図１６は、第（１，１）番目乃至第（Ｍ，Ｎ）番目の副画素に対応する「ｊ」の値を示す表である。
【図１７】図１７は、第（１，１）番目乃至第（Ｍ，Ｎ）番目の副画素に対応する「ｋ」の値を示す表である。
【図１８】図１８は、逆視の軽減を行わないときに画像表示部に表示される画像データを説明するための、表示領域１１の一部の模式的な平面図である。
【図１９】図１９は、画像観察者の左眼と右眼のそれぞれが視点Ａ4と視点Ａ5とに位置するときに左眼で観察される画像を構成する画素と右眼で観察される画像を構成する画素とを説明するための、表示領域の一部の模式的な平面図である。
【図２０】図２０の（Ａ）は、左眼で観察される画像を説明するための模式的な平面図である。図２０の（Ｂ）は、右眼で観察される画像を説明するための模式的な平面図である。
【図２１】図２１は、画像観察者の左眼と右眼のそれぞれが視点Ａ9と視点Ａ1とに位置するときに左眼で観察される画像を構成する画素と右眼で観察される画像を構成する画素とを説明するための、表示領域の一部の模式的な平面図である。
【図２２】図２２の（Ａ）は、左眼で観察される画像を説明するための模式的な平面図である。図２２の（Ｂ）は、右眼で観察される画像を説明するための模式的な平面図である。
【図２３】図２３の（Ａ）は、第１の実施形態におけるデータＤS1（ｊ，ｋ）の生成方法を説明するための模式図である。図２３の（Ｂ）は、第１の実施形態における多視点画像表示データを生成する動作を説明するための模式図である。
【図２４】図２４の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図２５】図２５の（Ａ）は、第２の実施形態におけるデータＤS2（ｊ，ｋ）の生成方法を説明するための模式図である。図２５の（Ｂ）は、第２の実施形態における多視点画像表示データを生成する動作を説明するための模式図である。
【図２６】図２６の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図２７】図２７の（Ａ）は、第３の実施形態におけるデータＤC1（ｊ，ｋ）の生成方法を説明するための模式図である。図２７の（Ｂ）は、第３の実施形態における多視点画像表示データを生成する動作を説明するための模式図である。
【図２８】図２８の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図２９】図２９の（Ａ）は、第４の実施形態におけるデータＤC2（ｊ，ｋ）の生成方法を説明するための模式図である。図２９の（Ｂ）は、第４の実施形態における多視点画像表示データを生成する動作を説明するための模式図である。
【図３０】図３０の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図３１】図３１の（Ａ）は、第５の実施形態におけるデータＤav（ｊ，ｋ）の生成方法を説明するための模式図である。図３１の（Ｂ）は、第５の実施形態における多視点画像表示データを生成する動作を説明するための模式図である。
【図３２】図３２の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図３３】図３３は、第６の実施形態における動作を説明するための模式図である。
【図３４】図３４の（Ａ）及び（Ｂ）は、画像観察者の左眼が視点Ａ9に位置するときに観察される前半フレームの画像及び後半フレームの画像を説明するための模式的な平面図である。
【図３５】図３５の（Ａ）及び（Ｂ）は、画像観察者の右眼が視点Ａ1に位置するときに観察される前半フレームの画像及び後半フレームの画像を説明するための模式的な平面図である。
【図３６】図３６は、視点Ａ1と視点Ａ2の間および視点Ａ8と視点Ａ9の間における逆視の関係に伴う不自然さを軽減するときの動作を説明するための模式図である。
【図３７】図３７は、第６の実施形態の変形例における動作を説明するための模式図である。
【図３８】図３８は、インターレース走査を行う場合の例を説明する模式図である。
【図３９】図３９は、第７の実施形態における多視点画像表示データを生成する動作を説明するための模式図である。
【図４０】図４０の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図４１】図４１は、第８の実施形態における多視点画像表示データを生成する動作を説明するための模式図である。
【図４２】図４２の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図４３】図４３の（Ａ）及び（Ｂ）は、画像観察者の左眼と右眼のそれぞれが視点Ａ1と視点Ａ2とに位置するときに、左眼で観察される画像及び右眼で観察される画像を説明するための模式的な平面図である。
【図４４】図４４の（Ａ）及び（Ｂ）は、画像観察者の左眼と右眼のそれぞれが視点Ａ8と視点Ａ9とに位置するときに、左眼で観察される画像及び右眼で観察される画像を説明するための模式的な平面図である。
【図４５】図４５は、第９の実施形態における多視点画像表示データを生成する動作を説明するための模式図である。
【図４６】図４６は、第１０の実施形態における多視点画像表示データを生成する動作を説明するための模式図である。
【図４７】図４７の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図４８】図４８は、第１１の実施形態における多視点画像表示データを生成する動作を説明するための模式図である。
【図４９】図４９の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図５０】図５０は、第１２の実施形態における多視点画像表示データを生成する動作を説明するための模式図である。
【図５１】図５１の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図５２】図５２は、第１３の実施形態における動作を説明するための模式図である。
【図５３】図５３は、第１４の実施形態における多視点画像表示データを生成する動作を説明するための模式図である。
【図５４】図５４の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【図５５】図５５は、立体画像表示装置を仮想的に分離したときの模式的な斜視図である。
【図５６】図５６は、変形例の立体画像表示装置を仮想的に分離したときの模式的な斜視図である。
【図５７】図５７は、開口部と副画素との配置関係を示す模式的な斜視図である。
【図５８】図５８は、変形例の立体画像表示装置を仮想的に分離したときの模式的な斜視図である。
【図５９】図５９は、開口部と副画素との配置関係を示す模式的な斜視図である。
【図６０】図６０の（Ａ）及び（Ｂ）は、光学分離部が画像表示部と照明部との間に配置される立体画像表示装置の概念図である。
【図６１】図６１の（Ａ）及び（Ｂ）は、光学分離部が画像表示部と画像観察者との間に配置される立体画像表示装置の概念図である。
【発明を実施するための形態】
【００１８】
以下、図面を参照して、実施形態に基づき本発明を説明する。本発明は実施形態に限定されるものではなく、実施形態における種々の数値や材料は例示である。以下の説明において、同一要素又は同一機能を有する要素には同一符号を用いることとし、重複する説明は省略する。尚、説明は、以下の順序で行う。
１．本発明に係る立体画像表示装置およびその駆動方法、全般に関する説明
２．各実施形態に用いられる立体画像表示装置の説明
３．逆視の軽減を行わないときの立体画像表示装置の動作の説明
４．第１の実施形態
５．第２の実施形態
６．第３の実施形態
７．第４の実施形態
８．第５の実施形態
９．第６の実施形態
１０．第７の実施形態
１１．第８の実施形態
１２．第９の実施形態
１３．第１０の実施形態
１４．第１１の実施形態
１５．第１２の実施形態
１６．第１３の実施形態
１７．第１４の実施形態（その他）
【００１９】
［本発明の立体画像表示装置、全般に関する説明］
本発明の立体画像表示装置として、複数の視点用の画像データに基づいて各視点用の画像を表示し、複数の観察領域のそれぞれにおいて各視点用の画像を観察することができる立体画像表示装置を広く用いることができる。
【００２０】
上述したように、本発明の第１の態様に係る立体画像表示装置においては、観察領域の端部付近において逆視関係となる画像の対の双方若しくは一方を、視点用の画像データとは異なるデータを用いて表示する。これによって、逆視関係となる画像の対の間での視差量の絶対値を小さくすることができるので、観察領域の端部付近における逆視の程度を緩和することができる。この場合において、視点用の画像データとは異なるデータは、複数種の画像データを組み合わせたデータから成る構成とすることができる。
【００２１】
立体画像表示装置の構成の簡略化の観点からは、複数種の画像データのそれぞれは、異なる視点用の画像データである構成とすることが好ましいが、これに限るものではない。例えば、視点用の画像データの一部若しくは全部を改変した画像データや、仮想的な視点に対応する画像データ等を別途生成し、これらを複数種の画像データとして用いるといった構成とすることもできる。
【００２２】
複数種の画像データを組み合わせたデータに基づいて表示される画像は、複数種の画像の要素が交互にストライプ状に配列されて成る構成とすることができるし、あるいは又、複数種の画像の要素が市松模様状に配列されて成る構成とすることもできる。
【００２３】
画像の要素が交互にストライプ状に配列されて成る構成として、画像の要素が画素列単位若しくは画素行単位に交互に配列される構成や、隣接する複数の画素列から成る画素列群若しくは隣接する複数の画素行から成る画素行群単位で交互に配列される構成を例示することができる。また、画像の要素が市松模様状に配列されて成る構成として、画像の要素が画素単位で市松模様状に配列される構成や、複数の画素から成る画素群単位で市松模様状に配列される構成を例示することができる。
【００２４】
あるいは又、本発明の第１の態様に係る立体画像表示装置においては、視点用の画像データとは異なるデータは、複数種の画像データを平均したデータである構成することができる。複数種の画像データのそれぞれは、異なる視点用の画像データである構成とすることが好ましいが、これに限るものではない。上述したように、視点用の画像データの一部若しくは全部改変した画像データや、仮想的な視点に対応する画像データ等を別途生成し、これらを複数種の画像データとして用いるといった構成とすることもできる。尚、「複数種の画像データを平均したデータ」とは、同一の画素に対応するデータ同士を平均したデータの集合を意味する。また、「平均」とは、相加平均（算術平均）に限定するものではなく、例えば、加重平均であってもよい。加重平均を行う場合の重み係数は、立体画像表示装置の設計に応じて、適宜好適な値を選択すればよい。
【００２５】
あるいは又、本発明の第１の態様に係る立体画像表示装置においては、視点用の画像データとは異なるデータは、他の視点用の画像データである構成とすることができる。
【００２６】
上述したように、本発明の第２の態様に係る立体画像表示装置においては、観察領域の端部付近において逆視関係となる画像の対の双方若しくは一方を、複数種の画像データを時分割で表示する。複数種の画像データのそれぞれは、異なる視点用の画像データである構成とすることが好ましいが、これに限るものではない。上述したように、視点用の画像データの一部若しくは全部改変した画像データや、仮想的な視点に対応する画像データ等を別途生成し、これらを複数種の画像データとして用いるといった構成とすることもできる。
【００２７】
本発明の第２の態様に係る立体画像表示装置において、時分割の表示は、所謂プログレッシブ走査で行う構成であってもよいし、あるいは又、所謂インターレース走査で行う構成であってもよい。
【００２８】
立体画像表示装置が、多視点用画像を表示する画像表示部と、画像表示部に表示される多視点用画像を分離して各観察領域において各視点用の画像を観察可能とする光学分離部を備えている場合には、画像表示部と画像観察者との間に光学分離部が配置される構成であってもよいし、画像表示部と照明部との間に光学分離部が配置される構成であってもよい。前者の場合には、画像表示部として、液晶表示パネル、エレクトロルミネッセンス表示パネル、プラズマ表示パネル等といった、広く周知の表示装置を用いることができる。後者の場合には、画像表示部として、例えば透過型液晶表示パネルといった周知の透過型表示パネルを用いることができる。画像表示部は、モノクロ表示であってもよいし、カラー表示であってもよい。
【００２９】
光学分離部の構成や配置等は、立体画像表示装置の仕様等に応じて適宜設定すればよい。光学分離部としてパララックスバリアを用いる場合には、固定的なパララックスバリアを用いてもよいし、動的に切り替え可能なパララックスバリアを用いてもよい。
【００３０】
固定的なパララックスバリアは、アクリル系樹脂・ポリカーボネート樹脂（ＰＣ）・ＡＢＳ樹脂・ポリメタクリル酸メチル（ＰＭＭＡ）・ポリアリレート樹脂（ＰＡＲ）・ポリエチレンテレフタレート樹脂（ＰＥＴ）・ガラスなどといった周知の透明な材料から成る基材を用いて、フォトリソグラフ法とエッチング法との組合せ、スクリーン印刷法・インクジェット印刷法・メタルマスク印刷法といった各種印刷法、メッキ法（電気メッキ法や無電解メッキ法）、リフトオフ法等の周知の方法により形成することができる。一方、動的に切り替え可能なパララックスバリアは、例えば、液晶材料層を備えた電気的に切り替え可能なライトバルブによって構成することができる。液晶材料層を用いたライトバルブを構成する材料の種類や、液晶材料層の動作モードは特に限定するものではない。場合によっては、モノクロ表示の液晶表示パネルを動的なパララックスバリアとして用いることもできる。パララックスバリアの開口部の大きさや配列ピッチ等は、立体画像表示装置の仕様等に応じて適宜設定すればよい。
【００３１】
また、光学分離部としてレンズシートを用いる場合、レンズシートの構成や構造は特に限定するものではない。例えば、上述した周知の透明な材料等を用いて一体的に成型されているレンズシートを用いてもよいし、上述した材料等から成るシート状の基材の上に例えば感光性の樹脂材料等を用いてレンズ列が形成されているレンズシートを用いてもよい。レンズ列の光学パワーや、レンズ列のピッチ等は、立体画像表示装置の仕様等に応じて適宜設定すればよい。
【００３２】
立体画像表示装置が透過型表示パネルと照明部とを備えている構成にあっては、広く周知の照明部を用いることができる。照明部の構成は、特に限定するものではない。一般に、照明部は、光源、プリズムシート、拡散シート、導光板等といった周知の部材から構成することができる。
【００３３】
後述する各実施形態においては、アクティブマトリクス方式の透過型カラー液晶表示パネルを画像表示部として用い、固定的なパララックスバリアを光学分離部として用いる。また、実施形態にあっては、光学分離部が画像表示部と照明部との間に配置されているとして説明するが、本発明はこの構造に限るものではない。
【００３４】
液晶表示パネルは、例えば、透明第１電極を備えたフロント・パネル、透明第２電極を備えたリア・パネル、及び、フロント・パネルとリア・パネルとの間に配置された液晶材料から成る。
【００３５】
ここで、フロント・パネルは、より具体的には、例えば、ガラス基板から成る第１の基板と、第１の基板の内面に設けられた透明第１電極（共通電極とも呼ばれ、例えば、ＩＴＯ（Indium Tin Oxide：インジウム錫酸化物）から成る）と、第１の基板の外面に設けられた偏光フィルムとから構成されている。更には、カラー液晶表示パネルでは、フロント・パネルは、第１の基板の内面に、アクリル系樹脂やエポキシ系樹脂から成るオーバーコート層によって被覆されたカラーフィルターが設けられ、オーバーコート層上に透明第１電極が形成された構成を有している。透明第１電極上には配向膜が形成されている。カラーフィルターの配置パターンとして、デルタ配列、ストライプ配列、ダイアゴナル配列、レクタングル配列を挙げることができる。
【００３６】
一方、リア・パネルは、より具体的には、例えば、ガラス基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型の液晶表示パネルを構成する各種の部材や液晶材料は、周知の部材、材料から構成することができる。尚、スイッチング素子として、薄膜トランジスタ（ＴＦＴ：Thin Film Transistor）などの３端子素子や、ＭＩＭ（Metal Insulator Metal）素子・バリスタ素子・ダイオードなどの２端子素子を例示することができる。
【００３７】
尚、カラー液晶表示パネルでは、透明第１電極と透明第２電極の重複領域であって液晶セルを含む領域が１副画素（サブピクセル）に該当する。そして、赤色発光副画素は、係る領域と赤色を透過するカラーフィルターとの組合せから構成され、緑色発光副画素は、係る領域と緑色を透過するカラーフィルターとの組合せから構成され、青色発光副画素は、係る領域と青色を透過するカラーフィルターとの組合せから構成されている。赤色発光副画素、緑色発光副画素、及び、青色発光副画素の配置パターンは、上述したカラーフィルターの配置パターンと一致する。
【００３８】
更には、これらの３種の副画素に更に１種類あるいは複数種類の副画素を備えた構成であってもよい。例えば、輝度向上のために白色光を発光する副画素、色再現範囲を拡大するために補色を発光する副画素、色再現範囲を拡大するためにイエローを発光する副画素、色再現範囲を拡大するためにイエロー及びシアンを発光する副画素を備えていてもよい。
【００３９】
画像表示部が通常の平面画像を表示すると仮定したときの画素（ピクセル）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【００４０】
画像表示部を駆動する駆動手段は、例えば、画像信号処理部、タイミング制御部、データドライバ及びゲートドライバ等の種々の回路から構成することができる。これらは周知の回路素子等を用いて構成することができる。
【００４１】
［各実施形態に用いられる立体画像表示装置の説明］
図１は、後述する各実施形態に用いられる立体画像表示装置を仮想的に分離したときの模式的な斜視図である。
【００４２】
図１に示すように、立体画像表示装置１は、画像表示部１０、画像表示部１０を背面から照射する照明部２０、及び、画像表示部１０と照明部２０との間に配置され、画像表示部１０に表示される多視点用画像を分離して各観察領域ＷＡL，ＷＡC，ＷＡRにおいて各視点用の画像を観察可能とする光学分離部３０を備えている。尚、観察領域ＷＡL，ＷＡC，ＷＡRを纏めて「観察領域ＷＡ」と表す場合がある。
【００４３】
画像表示部１０は、視点Ａ1乃至視点Ａ9用の多視点用画像を表示する。駆動手段１００は、各視点に対応する画像データＤ1乃至Ｄ9を基に多視点画像表示データを生成し、画像表示部１０を駆動する。駆動手段１００の動作については、後ほど図９乃至図１４を参照して詳しく説明する。
【００４４】
画像表示部１０の表示領域１１には、水平方向（図においてＸ方向）にＭ個、垂直方向（図においてＹ方向）にＮ個、合計Ｍ×Ｎ個の副画素１２が配列されている。第ｍ列（但し、ｍ＝１，２・・・，Ｍ）、第ｎ行目（但し、ｎ＝１，２・・・，Ｎ）の副画素１２を、第（ｍ，ｎ）番目の副画素１２あるいは副画素１２(m,n)と表す。また、第ｍ列目の副画素１２を、副画素１２mと表す場合がある。
【００４５】
画像表示部１０は、アクティブマトリクス方式のカラー液晶表示パネルから成る。副画素１２は、第１列目が赤色発光副画素、第２列目が緑色発光副画素、第３列目が青色発光副画素といった順で配列されており、第４列目以降も同様の順を繰り返すように配列されている。即ち、第ｍ列目の副画素は、「ｍ−1」を３で除したときの剰余が０であれば赤色発光副画素、剰余が１であれば緑色発光副画素、剰余が２であれば青色発光副画素である。
【００４６】
画像表示部１０が通常の平面画像を表示すると仮定したときの画素の数（Ｍ0，Ｎ0）は、例えば（１９２０，１０８０）である。この場合において通常の平面画像の画素が水平方向に並ぶ赤色発光副画素、緑色発光副画素および青色発光副画素の組から構成されるとすれば、Ｍ＝Ｍ0×３、Ｎ＝Ｎ0である。即ち、上述の例では、Ｍ＝５７６０、Ｎ＝１０８０である。
【００４７】
画像表示部１０は、観察領域ＷＡ側のフロント・パネル、光学分離部３０側のリア・パネル、フロント・パネルとリア・パネルとの間に配置された液晶材料等から構成されている。図示の都合上、図１においては画像表示部１０を１枚のパネルとして表した。
【００４８】
光学分離部３０は、実質的に垂直方向（図においてＹ方向）に複数並んで配置される開口部３１から成る開口列と、開口列と開口列の間に位置する遮光部３２とを備えている。そして、上述した開口列が、水平方向（図においてＸ方向）に複数（Ｐ個）並んで配列されている。第ｐ列目（但し、ｐ＝１，２・・・，Ｐ）の開口列を構成する開口部３１を、開口部３１pと表す。後で詳しく説明するように、「Ｍ」と「Ｐ」とは、Ｍ≒Ｐ×９といった関係にある。
【００４９】
開口列は、基本的にはＮ個の開口部３１から構成されている。後述するように、開口列の延びる方向とＹ方向とは若干の角度を成している。このため、端部に位置する開口列はＮ個未満の開口部３１から構成されている。
【００５０】
光学分離部３０は、例えばＰＥＴフィルム上に、黒色顔料を含有した感光性材料層を形成した後、フォトリソグラフ法とエッチング法との組合せにより遮光部３２を残して感光性材料層を除去することにより構成した。感光性材料層が除去された部分が、開口部３１となる。
【００５１】
尚、後述する図３乃至図７においては、光学分離部３０の基材となるＰＥＴフィルムの図示を省略し、開口部３１と遮光部３２とを模式的に示した。また、遮光状態と透過状態を明確化するために、遮光部３２を黒く表示した。
【００５２】
照明部２０は、光源、プリズムシート、拡散シート、導光板等といった部材（これらは図示せず）から構成されている。拡散シート等を介した拡散光が、発光面２１から画像表示部１０の背面に向かって照射される。光学分離部３０によって、照明部２０の光の一部が遮光されると、画像表示部１０に表示される画像が複数の視点用の画像に分離される。
【００５３】
光学分離部３０の開口部３１を透過した照明部２０の光が画像表示部１０に入射する際、一部の光は反射して光学分離部３０を照らす。光学分離部３０を照らす光によって視差画像の指向性が低下するといった場合には、画像表示部１０の光学分離部３０側の面上に反射防止膜を設ければよい。あるいは又、光学分離部３０の画像表示部１０側の面上に反射防止膜を設けてもよい。この場合には、遮光部３２に対応する部分にのみ反射防止膜を設けることが好ましい。反射防止膜の構成は特に限定するものではなく、広く周知の反射防止膜を用いることができる。
【００５４】
光学分離部３０と画像表示部１０との間の距離、図のＸ方向における副画素１２のピッチ(以下、単に、副画素ピッチと呼ぶ場合がある）、及び、図のＸ方向における開口部３１のピッチ（以下、単に、開口部ピッチと呼ぶ場合がある）は、立体画像表示装置１の仕様上定めた観察領域ＷＡにおいて好ましい立体画像が観察できる条件を満たすように設定されている。この条件について具体的に説明する。
【００５５】
各実施形態において、立体画像表示装置に表示される画像の視点数は、図１に示す各観察領域ＷＡL，ＷＡC，ＷＡRにおいて、それぞれ、視点Ａ1，Ａ2・・・，Ａ9の９つであるとして説明するが、これに限るものではない。観察領域の個数や視点の数は、立体画像表示装置の設計に応じて適宜設定することができる。尚、図示の都合上、図１、図３乃至図７、後述する図５６及び図５８においては、観察領域ＷＡL，ＷＡRの一部の視点の図示を省略した。
【００５６】
図２は、立体画像表示装置における開口部と副画素との配置関係を説明するための、光学分離部及び表示領域の一部の模式的な平面図である。
【００５７】
図２に示すように、第ｎ行目の副画素１２に対応する開口部３１に対し、第（ｎ＋１）行目の副画素１２に対応する開口部３１は、副画素１２の略ピッチ分−Ｘ方向にシフトして配置されている。従って、開口列の延びる方向とＹ方向とは若干の角度を成している。尚、図示の都合上、図２にあっては開口部３１のＸ方向の幅を副画素１２のピッチの幅と同じ長さとして表したが、これは例示に過ぎない。
【００５８】
図２及び後述する図８にあっては、赤色発光副画素、緑色発光副画素および青色発光副画素を、それぞれ、符号Ｒ，Ｇ，Ｂを用いて表した。
【００５９】
説明の都合上、図２乃至図８を参照して行う説明にあっては、第ｍ列、第ｎ行目の副画素１２は赤色発光副画素であり、その中点は、第ｐ列目の開口部３１pの中心を通りＺ方向に延びる仮想直線上に位置するものとする。
【００６０】
図３は、図１に示す観察領域における視点Ａ1乃至Ａ9と、画像表示部と、光学分離部と、照明部との配置関係を説明するための模式的な平面図である。より具体的には、図３は、上述した仮想直線を含みＸ−Ｚ平面に平行な仮想平面上における、視点Ａ1乃至Ａ9と、画像表示部と、光学分離部と、照明部との配置関係を示した図である。
【００６１】
副画素ピッチをＮＤ［ｍｍ］と表し、開口部ピッチをＲＤ［ｍｍ］と表す。開口部３１と画像表示部１０との間の距離をＺ１［ｍｍ］と表し、画像表示部１０と観察領域ＷＡL，ＷＡC，ＷＡRとの間の距離をＺ２［ｍｍ］と表す。また、観察領域ＷＡL，ＷＡC，ＷＡRにおいて隣接する視点間の距離をＤＰ［ｍｍ］と表す。
【００６２】
開口部３１の幅を符号ＰＷと表し、遮光部３２の幅を符号ＳＷと表せば、開口部ピッチＲＤ＝ＳＷ＋ＰＷといった関係にある。定性的には、ＰＷ／ＲＤ＝ＰＷ／（ＳＷ＋ＰＷ）の値を小さくするほど、各視点用の画像の指向性は向上するが、観察される画像の輝度は低下する。ＰＷ／ＲＤの値は、立体画像表示装置の仕様に応じて、適宜好ましい値に設定すればよい。
【００６３】
副画素１２(m-4,n)，１２(m-3,n)・・・，１２(m+4,n)を透過する開口部３１pからの光のそれぞれが、中央の観察領域ＷＡCの視点Ａ1，Ａ2・・・，Ａ9に向かう条件について考察する。説明の都合上、開口部３１の幅ＰＷは充分小さいとし、開口部３１の中心を通る光の軌道に注目して説明する。
【００６４】
図４は、副画素からの光が中央の観察領域の視点Ａ1乃至Ａ9に向かうために満たす条件を説明するための模式図である。
【００６５】
開口部３１pの中心を通りＺ方向に延びる仮想直線を基準として、副画素１２(m-4,n)の中心までの距離を符号Ｘ１で表し、中央の観察領域ＷＡCの視点Ａ1までの距離を符号Ｘ２と表す。開口部３１pからの光が副画素１２(m-4,n)を透過して観察領域ＷＡCの視点Ａ1に向かうとき、幾何学的な相似関係から、以下の式（１）に示す条件を満たす。
【００６６】
Ｚ１：Ｘ１＝（Ｚ１＋Ｚ２）：Ｘ２      （１）
【００６７】
ここで、Ｘ１＝４×ＮＤ、Ｘ２＝４×ＤＰであるので、これらを反映すると、式（１）は、以下の式（１’）のように表される。
【００６８】
Ｚ１：４×ＮＤ＝（Ｚ１＋Ｚ２）：４×ＤＰ      （１’）
【００６９】
上述した式（１’）を満たせば、副画素１２(m-3,n)，１２(m-2,n)・・・，１２(m+4,n)を透過する開口部３１pからの光も、それぞれ、観察領域ＷＡCの視点Ａ2，Ａ3・・・，Ａ9に向かうといったことは、幾何学的に明らかである。
【００７０】
図５は、副画素からの光が右側の観察領域の視点Ａ1乃至Ａ9に向かうために満たす条件を説明するための模式図である。
【００７１】
副画素１２(m-4,n)，１２(m-3,n)・・・，１２(m+4,n)を透過する開口部３１p-1からの光のそれぞれが、右側の観察領域ＷＡRの視点Ａ1，Ａ2・・・，Ａ9に向かう条件について考察する。
【００７２】
開口部３１p-1の中心を通りＺ方向に延びる仮想直線を基準として、副画素１２(m-4,n)の中心までの距離を符号Ｘ３で表し、右側の観察領域ＷＡRの視点Ａ1までの距離を符号Ｘ４と表す。開口部３１p-1からの光が副画素１２(m-4,n)を透過して観察領域ＷＡRの視点Ａ1に向かうためには、幾何学的な相似関係から、以下の式（２）に示す条件を満たす。
【００７３】
Ｚ１：Ｘ３＝（Ｚ１＋Ｚ２）：Ｘ４      （２）
【００７４】
ここで、Ｘ３＝ＲＤ−Ｘ１＝ＲＤ−４×ＮＤ、Ｘ４＝ＲＤ＋５×ＤＰであるので、これらを反映すると、式（２）は、以下の式（２’）のように表される。
【００７５】
Ｚ１：（ＲＤ−４×ＮＤ）＝（Ｚ１＋Ｚ２）：（ＲＤ＋５×ＤＰ）      （２’）
【００７６】
上述した式（２’）を満たせば、副画素１２(m-3,n)，１２(m-2,n)・・・，１２(m+4,n)を透過する開口部３１p+1からの光も、それぞれ、観察領域ＷＡRの視点Ａ2，Ａ3・・・，Ａ9に向かうといったことは、幾何学的に明らかである。
【００７７】
尚、副画素１２(m-4,n)，１２(m-3,n)・・・，１２(m+4,n)を透過する開口部３１p+1からの光のそれぞれが、左側の観察領域ＷＡLの視点Ａ1，Ａ2・・・，Ａ9に向かう条件は、図５をＺ軸を中心として反転させたと同様であるので、説明を省略する。
【００７８】
距離Ｚ２及び距離ＤＰの値は、立体画像表示装置１の仕様に基づいて所定の値に設定される。また、副画素ピッチＮＤの値は、画像表示部１０の構造によって定まる。式（１’）と式（２’）より、距離Ｚ１と開口部ピッチＲＤについて、以下の式（３）と式（４）を得る。
【００７９】
Ｚ１＝Ｚ２×ＮＤ／（ＤＰ−ＮＤ）      （３）
ＲＤ＝９×ＤＰ×ＮＤ／（ＤＰ−ＮＤ）      （４）
【００８０】
例えば、画像表示部１０の副画素ピッチＮＤが０．１７５［ｍｍ］、距離Ｚ２が３０００［ｍｍ］、距離ＤＰが６５．０［ｍｍ］であるとすると、距離Ｚ１は約８．１０［ｍｍ］、開口部ピッチＲＤは約１．５８［ｍｍ］である。
【００８１】
尚、画像観察者が両眼の間の距離の約半分を移動したときに別の視点の画像を観察し得るように設定する場合には、ＤＰを半分の値にすればよい。距離ＤＰが３２．５［ｍｍ］である場合には、距離Ｚ１は約１６．２［ｍｍ］、開口部ピッチＲＤは約１．５８［ｍｍ］である。
【００８２】
立体画像表示装置１にあっては、画像表示部１０と光学分離部３０とは、上述した距離Ｚ１で離間するように、図示せぬスペーサ等によって保持されている。
【００８３】
尚、照明部２０の発光面２１と光学分離部３０との間の距離は、特に限定するものではなく、立体画像表示装置１の仕様に応じて、適宜好適な値に設定すればよい。
【００８４】
上述した例では、開口部ピッチＲＤの値は副画素ピッチＮＤの値の略９倍となる。従って、上述した「Ｍ」と「Ｐ」とは、Ｍ≒Ｐ×９といった関係にある。
【００８５】
距離Ｚ１や開口部ピッチＲＤは上述の条件を満たすように設定されており、観察領域ＷＡL，ＷＡC，ＷＡRにおける視点Ａ1，Ａ2・・・，Ａ9のそれぞれにおいて、所定の視点用の画像を観察することができる。
【００８６】
図６は、中央の観察領域における視点Ａ1乃至Ａ9で観察される画像を説明するための模式図である。図７は、右側の観察領域における視点Ａ1乃至Ａ9で観察される画像を説明するための模式図である。
【００８７】
尚、図２を参照して説明したように、第ｎ行目の副画素１２に対応する開口部３１に対し、第（ｎ＋１）行目の副画素１２に対応する開口部３１は、−Ｘ方向に副画素１２の略ピッチ分シフトして配置されている。従って、第（ｎ＋１）行目の副画素１２についての説明は、上述した記載において「ｎ」を『ｎ＋１』に置き換えると共に、「ｍ」を『ｍ−１』と置き換えればよい。また、第（ｎ−１）行目の副画素１２の説明については、上述した記載において「ｎ」を『ｎ−１』に置き換えると共に、「ｍ」を『ｍ＋１』と置き換えればよい。
【００８８】
従って、それぞれ隣接する３行の副画素１２に注目すると、或る視点に向かう光が透過する副画素は、後述する図９に示すように、行毎に１副画素分ずれて配列する。各視点毎の画像を構成する画素は、３行に亙る副画素１２の組から構成される。
【００８９】
図８は、各実施形態に用いられる立体画像表示装置において各視点用の画像の画素を構成する副画素を説明するための、光学分離部及び表示領域の一部の模式的な平面図である。
【００９０】
画素構成行の中央に第ｎ行が位置するとすれば、図８において、符号Ｒ，Ｇ，Ｂを、丸で囲った組、四角で囲った組、八角形で囲った組が、それぞれ、１画素を形成する。従って、各視点毎の画像の画素数を、水平方向にＪ個、垂直方向にＫ個、合計Ｊ×Ｋ個と表せば、Ｊ＝Ｍ／９、Ｋ＝Ｎ／３である。Ｍ＝５７６０、Ｎ＝１０８０の場合には、Ｊ×Ｋ＝６４０×３６０である。以下、図９乃至図１２を参照して、各視点用の画像を構成する画素と画像表示部の副画素との関係について説明する。
【００９１】
図９は、第（１，１）番目乃至第（Ｍ，Ｎ）番目の副画素からの光が向かう視点を示す表である。
【００９２】
先ず、視点Ａ4で観察される画像を構成する画素について考察する。視点Ａ4で観察される画像は、図９において符号Ａ4が付された副画素から構成される。そして、上述したように、各視点毎の画像を構成する画素は、３行に亙る副画素１２の組から構成される。視点Ａ4で観察される画像を構成する画素を符号４１２で表し、第ｊ列（但し、ｊ＝１，２・・・，Ｊ）、第ｋ行目（但し、ｋ＝１，２・・・，Ｋ）の画素４１２を、画素４１２（ｊ，ｋ）と表す。
【００９３】
図１０は、視点Ａ4用の画像を構成する副画素の組の配列を説明するための表である。
【００９４】
図１０に示すように、画素４１２の水平方向の配列に注目すると、画素４１２は９列の副画素１２毎に１つずつ配列され、その数はＪ個である。一方、垂直方向の配列に注目すると、画素４１２は３行の副画素１２毎に１つ配列され、その数はＫ個である。従って、画素４１２は、２次元マトリクス状にＪ×Ｋ個配列されており、これらの画素４１２によって、視点Ａ4で観察される画像が構成される。
【００９５】
次いで、視点Ａ5で観察される画像を構成する画素について考察する。視点Ａ5で観察される画像は、図９において符号Ａ5が付された副画素から構成される。視点Ａ5で観察される画像を構成する画素を符号５１２で表し、第ｊ列、第ｋ行目の画素５１２を、画素５１２（ｊ，ｋ）と表す。
【００９６】
図１１は、視点Ａ5用の画像を構成する副画素の組の配列を説明するための表である。
【００９７】
図１０を参照して画素４１２について説明したのと同様に、画素５１２も、水平方向には９列の副画素１２毎に１つずつ配列され、その数はＪ個である。また、垂直方向には３行の副画素１２毎に１つ配列され、その数はＫ個である。従って、画素５１２も、２次元マトリクス状にＪ×Ｋ個配列されており、これらの画素５１２によって、視点Ａ5で観察される画像が構成される。
【００９８】
以上説明したように、視点Ａ4で観察される画像はＪ×Ｋ個配列された画素４１２から構成され、視点Ａ5で観察される画像もＪ×Ｋ個配列された画素５１２から構成される。従って、視点Ａ4で観察される画像を構成する画素の配列の模式的な平面図および視点Ａ5で観察される画像を構成する画素の配列の模式的な平面図は、それぞれ、図１２の（Ａ）及び（Ｂ）のように表される。
【００９９】
他の視点で観察される画像を構成する画素の説明は、画素を構成する副画素の組み合わせが相違する他は上述したと同様である。従って、これらの画素およびその配列についての説明は省略する。尚、以下の説明において、視点Ａ1で観察される画像を構成する画素、視点Ａ2で観察される画像を構成する画素、視点Ａ8で観察される画像を構成する画素および視点Ａ9で観察される画像を構成する画素を、それぞれ、画素１１２、画素２１２、画素８１２および画素９１２と表す場合がある。
【０１００】
各視点毎の画像を構成する画素と画像表示部の副画素との関係について説明した。次いで、画像表示部に多視点画像を表示する多視点画像表示データについて説明する。
【０１０１】
図１３は、視点Ａ1乃至Ａ9のそれぞれに対応する画像データＤ1乃至Ｄ9に基づいて多視点画像表示データを生成する方法を説明するための模式図である。
【０１０２】
図１３に示すように、画像データＤ1は、赤色発光副画素用の画像データＤ1_R、緑色発光副画素用の画像データＤ1_Gおよび青色発光副画素用の画像データＤ1_Bの組から構成されている。他の画像データＤ2乃至Ｄ9においても同様である。
【０１０３】
画像データＤ1_R，Ｄ1_G，Ｄ1_Bのそれぞれは、各視点毎の画像の画素数に対応したＪ×Ｋ個のデータである。第ｊ列、第ｋ行目の画素に対応する画像データＤ1_R，Ｄ1_G，Ｄ1_Bを、画像データＤ1_R（ｊ，ｋ），Ｄ1_G（ｊ，ｋ），Ｄ1_B（ｊ，ｋ）と表す場合がある。また、これら３種類のデータを纏めて、画像データＤ1（ｊ，ｋ）と表す場合がある。他の画像データＤ2乃至Ｄ9や、後述するデータＤS1，ＤS2，ＤC1，ＤC2，Ｄavにおいても同様である。
【０１０４】
図１４は、第ｍ列、第ｎ行目の副画素１２(m,n)に対応する画像データの選択方法を説明するための模式的なフローチャート図である。
【０１０５】
図１に示す駆動手段１００は、図１４に示すフローチャートに基づいて副画素１２(m,n)に対応する画像データを選択して多視点画像表示データを生成し、このデータに基づいて表示部を駆動する。図１４を参照してデータの選択方法を説明する。
【０１０６】
図９に示すように、実施形態の立体画像表示装置１にあっては、画像表示部１０の第１行目の副画素１２において、第１列目から第９列目の副画素１２の光はそれぞれ視点Ａ1から視点Ａ9に向かい、第１０列目以降の副画素１２において同様の関係を繰り返す。また、上述したように、或る視点に向かう光が透過する副画素１２は、行毎に１副画素分ずれて配列する。
【０１０７】
従って、第ｍ列、第ｎ行目の副画素１２(m,n)からの光が向かう視点を視点ＡQ（但し、「Ｑ」は１から９までのいずれかひとつの整数）と表し、被除数を除数で除したときの剰余を「ｍｏｄ（被除数，除数）」と表せば、「Ｑ」の値は、以下の式（５）で与えられる。
【０１０８】
Ｑ＝ｍｏｄ（ｍ＋ｎ−２，９）＋１      （５）
【０１０９】
図１５に、上述した式（５）に基づいて計算した、第（１，１）番目乃至第（Ｍ，Ｎ）番目の副画素からの光が向かう視点ＡQにおける「Ｑ」の値を示す。
【０１１０】
また、第ｍ列、第ｎ行目の副画素１２(m,n)が視点ＡQ用の画像の第ｊ列（但し、ｊ＝１，２・・・，Ｊ）且つ第ｋ行目（但し、ｋ＝１，２・・・，Ｋ）の画素を構成する副画素の１つであるとすれば、「ｊ」及び「ｋ」の値は、それぞれ、以下の式（６）及び式（７）で与えられる。尚、式（６）及び式（７）における「ＩＮＴ」は、引数の小数点以下を切り捨てて整数化する関数である。
【０１１１】
ｊ＝ＩＮＴ（［ｍｏｄ（ｎ−１，３）＋ｍ−１］／９）＋１      （６）
ｋ＝ＩＮＴ（（ｎ−１）／３）＋１      （７）
【０１１２】
図１６に、上述した式（６）に基づいて計算した、第（１，１）番目乃至第（Ｍ，Ｎ）番目の副画素に対応する「ｊ」の値を示す。また、図１７に、上述した式（７）に基づいて計算した、第（１，１）番目乃至第（Ｍ，Ｎ）番目の副画素に対応する「ｋ」の値を示す。
【０１１３】
そして、第ｍ列目の副画素は、「ｍ−1」を３で除したときの剰余が０であれば赤色発光副画素、剰余が１であれば緑色発光副画素、剰余が２であれば青色発光副画素である。
【０１１４】
従って、第ｍ列、第ｎ行目の副画素１２(m,n)には、ｍｏｄ（ｍ−１，３）＝０であれば視点ＡQ用の赤色表示データが対応し、ｍｏｄ（ｍ−１，３）＝１であれば視点ＡQ用の緑色表示データが対応し、ｍｏｄ（ｍ−１，３）＝２であれば視点ＡQ用の青色表示データが対応する。
【０１１５】
逆視の軽減を行わないときには、視点Ａ1乃至Ａ9のそれぞれには、画像データＤ1乃至Ｄ9がそのまま対応する。一方、各実施形態では、一部の視点に対応する画像データを、適宜他の視点の画像データを用いて置き換える等といった動作を行う。
【０１１６】
説明の理解を助けるため、この段落では、逆視の軽減を行わないときのデータの選択について説明する。逆視の軽減を行わないとき、副画素１２(m,n)には、ｍｏｄ（ｍ−１，３）＝０であれば、画像データＤQ_R（ｊ，ｋ）が対応する。また、ｍｏｄ（ｍ−１，３）＝１であれば、画像データＤQ_G（ｊ，ｋ）が対応する。また、ｍｏｄ（ｍ−１，３）＝２であれば、画像データＤQ_B（ｊ，ｋ）が対応する。
【０１１７】
各視点用の画像を構成する画素を斜めに配列された副画素１２の組によって構成する関係上、図１６に示すように、第（Ｍ−１）列目と第Ｍ列目の副画素１２の一部にあっては「ｊ」が「Ｊ（実施形態においては６４０）」を超える。これらの副画素１２に対応する画像データはないので、例えばｊ＝Ｊとして扱う等の例外処理を行って画像データを対応させればよい。尚、各視点用の画像データが（Ｊ＋１）×Ｋ個のデータから成るといった構成としてもよい。このときには上述した例外処理は不要である。
【０１１８】
上述した手順で画像データを選択することによって、画像表示部に多視点画像を表示する多視点画像表示データを生成することができる。
【０１１９】
［逆視の軽減を行わないときの立体画像表示装置の動作の説明］
図１８は、逆視の軽減を行わないときに画像表示部１０に表示される画像データを説明するための、表示領域１１の一部の模式的な平面図である。
【０１２０】
図１８に示す符号Ｄ1乃至Ｄ9は、各副画素１２を駆動する画像データの種類を表す。図１８に示す例では、第（ｍ，ｎ）番目の副画素１２は赤色発光副画素であり符号Ｄ5が付されている。この副画素１２には、画像データＤ5_R（ｊ，ｋ）が対応する。他の副画素においても同様に適宜読み替えればよい。
【０１２１】
画像観察者の左眼と右眼とが共に１つの観察領域内にあるとき、画像観察者は画像を立体画像として認識する。例えば、図１に示す観察領域ＷＡCにおいて、画像観察者の左眼と右眼のそれぞれが視点Ａ4と視点Ａ5とに位置する場合には、視点Ａ4に向かって光が進む副画素１２によって左眼で観察される画像が構成され、視点Ａ5に向かって光が進む副画素１２によって右眼で観察される画像が構成される。
【０１２２】
図１９は、画像観察者の左眼と右眼のそれぞれが視点Ａ4と視点Ａ5とに位置するときに左眼で観察される画像を構成する画素と右眼で観察される画像を構成する画素とを説明するための、表示領域の一部の模式的な平面図である。
【０１２３】
図１９に示す符号Ａ4及びＡ5は、副画素１２からの光が向かう視点を示す。符号Ｄ4及びＤ5については図１８の説明で言及したので説明を省略する。
【０１２４】
画像観察者は、画像データＤ4によって駆動される副画素によって構成される画像を左眼で観察し、画像データＤ5によって駆動される副画素によって構成される画像を右眼で観察する。
【０１２５】
図２０の（Ａ）は、左眼で観察される画像を説明するための模式的な平面図である。図２０の（Ｂ）は、右眼で観察される画像を説明するための模式的な平面図である。
【０１２６】
画像観察者は、画像データＤ4（１，１）乃至Ｄ4（Ｊ，Ｋ）に基づく画素４１２から成る画像を左眼で観察し（図２０の（Ａ）参照）、画像データＤ5（１，１）乃至Ｄ5（Ｊ，Ｋ）に基づく画素５１２から成る画像を右眼で観察する。これらの画像間の視差によって、画像観察者は画像を立体画像として認識する。
【０１２７】
一方、画像観察者の左眼と右眼とがそれぞれ異なる観察領域内にあるとき、左眼用の画像と右眼用の画像が入れ替わって見える「逆視」といった状態が生ずる。画像観察者は手前と奥とが反転した画像を知覚することになり、不自然さや不快感を覚える。
【０１２８】
例えば、図１に示す観察領域ＷＡLの視点Ａ9に画像観察者の左眼が位置し、観察領域ＷＡCの視点Ａ1に右眼が位置する場合には、視点Ａ9に向かって光が進む副画素１２によって左眼で観察される画像が構成され、視点Ａ1に向かって光が進む副画素１２によって右眼で観察される画像が構成される。
【０１２９】
図２１は、画像観察者の左眼と右眼のそれぞれが視点Ａ9と視点Ａ1とに位置するときに左眼で観察される画像を構成する画素と右眼で観察される画像を構成する画素とを説明するための、表示領域の一部の模式的な平面図である。
【０１３０】
図２１に示す符号Ａ1及びＡ9は、副画素からの光が向かう視点を示す。符号Ｄ1及びＤ9については図１８の説明で言及したので説明を省略する。
【０１３１】
画像観察者は、画像データＤ9によって駆動される副画素によって構成される画像を左眼で観察し、画像データＤ1によって駆動される副画素によって構成される画像を右眼で観察する。
【０１３２】
図２２の（Ａ）は、左眼で観察される画像を説明するための模式的な平面図である。図２２の（Ｂ）は、右眼で観察される画像を説明するための模式的な平面図である。
【０１３３】
画像観察者は、画像データＤ9（１，１）乃至Ｄ9（Ｊ，Ｋ）に基づく画素９１２から成る画像を左眼で観察し、画像データＤ1（１，１）乃至Ｄ1（Ｊ，Ｋ）に基づく画素１１２から成る画像を右眼で観察する。従って、左眼用の画像と右眼用の画像が入れ替わった状態で観察する「逆視」といった状態が生じ、画像観察者は不自然さや不快感を覚える。
【０１３４】
［第１の実施形態］
第１の実施形態は、本発明の第１の態様に係る立体画像表示装置およびその駆動方法に関する。
【０１３５】
第１の実施形態にあっては、観察領域の端部付近において逆視関係となる画像の対の双方を、視点用の画像データとは異なるデータを用いて表示する。視点用の画像データとは異なるデータは、複数種の画像データを組み合わせたデータから成る。具体的には、複数種の画像データのそれぞれは、異なる視点用の画像データである。複数種の画像データを組み合わせたデータに基づいて表示される画像は、複数種の画像の要素が交互にストライプ状に配列されて成る。
【０１３６】
動作の概要について説明する。複数の異なる視点用の画像データ（具体的には、画像データＤ1と画像データＤ9）を組み合わせて、後述するデータＤS1を生成する。そして、視点Ａ1には、画像データＤ1に変えてデータＤS1を対応させる。同様に、視点Ａ9にも、画像データＤ9に変えてデータＤS1を対応させる。尚、視点Ａ2乃至Ａ8については、画像データＤ2乃至Ｄ8をそのまま対応させる。そして、図１４に示すフローチャートに基づいて、多視点画像表示データを生成する。
【０１３７】
このようにして生成した多視点画像表示データに基づいて画像表示部１０を動作させることによって、観察領域の端部付近において逆視関係となる２つの画像のそれぞれを、複数の視点用の画像に対応する画像データを組み合わせて表示することができる。
【０１３８】
図２３の（Ａ）は、第１の実施形態におけるデータＤS1（ｊ，ｋ）の生成方法を説明するための模式図である。図２３の（Ｂ）は、第１の実施形態における多視点画像表示データを生成する動作を説明するための模式図である。
【０１３９】
図２３の（Ａ）に示す式から明らかなように、「ｊ」が奇数の場合にはＤS1（ｊ，ｋ）＝Ｄ1（ｊ，ｋ）であり、「ｊ」が偶数の場合にはＤS1（ｊ，ｋ）＝Ｄ9（ｊ，ｋ）である。即ち、データＤS1（ｊ，ｋ）は、視点Ａ1用と視点Ａ9用の画像データの要素が交互にストライプ状に配列するように組み合わされて生成されている。
【０１４０】
駆動手段１００には画像データＤ1乃至Ｄ9がそのまま供給される。駆動手段１００の内部で図２３の（Ａ）に示す動作に基づいてデータＤS1を生成し、視点Ａ1に対応する画像データをデータＤS1で置き換え、視点Ａ9に対応する画像データをデータＤS1で置き換える。尚、データＤS1の生成を駆動手段１００の外部で行うといった構成であってもよい。
【０１４１】
図２４の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０１４２】
図２４の（Ａ）及び（Ｂ）に示すように、視点Ａ9と視点Ａ1で観察される２つの画像のそれぞれは、視点Ａ1用と視点Ａ9用の２つの画像の要素が交互にストライプ状に配列されて成る。具体的には、列方向にストライプ状に延びる画像の要素が、行方向に交互に配列されている。視点Ａ9と視点Ａ1で観察される２つの画像は同一の画像であるので、画像間に視差はない。このように、逆視関係となる画像の対の間での視差量の絶対値を小さくすることができる。
【０１４３】
従って、画像観察者の左眼と右眼のそれぞれが視点Ａ9と視点Ａ1とに位置するとき、画像観察者は２つの視点用の画像が重なった平面的な画像を認識するので、「逆視」に伴う不自然さや不快感を覚えることがない。複数の画像観察者が異なる位置から１つの立体画像表示装置を観察するといった場合においても、逆視に起因する不自然さや不快感を支障なく軽減することができる。
【０１４４】
視点Ａ1及び視点Ａ9において観察される画像には、視点Ａ1用と視点Ａ9用の画像成分が含まれている。従って、例えば、画像観察者の左眼と右眼のそれぞれが視点Ａ1と視点Ａ2とに位置するとき、左眼で観察する画像に含まれる視点Ａ9用の画像成分と、右眼で観察する視点Ａ2用の画像とは逆視の関係である。しかしながら、左眼で観察する画像には視点Ａ1用の画像成分も含まれており、これと右眼で観察する視点Ａ2用の画像とは通常の立体視の関係である。従って、上述の逆視の関係に伴う不自然さが顕著に知覚されるといったことはない。また、画像観察者の左眼と右眼のそれぞれが視点Ａ8と視点Ａ9とに位置する場合においても、左眼で観察する視点Ａ8用の画像と、右眼で観察する画像に含まれる視点Ａ1用の画像成分とは逆視の関係である。しかしながら、右眼で観察する画像には視点Ａ9用の画像成分も含まれており、これと右眼で観察する視点Ａ2用の画像とは通常の立体視の関係である。従って、上述の逆視の関係に伴う不自然さが顕著に知覚されるといったことはない。
【０１４５】
以上の説明では、画像データＤ1，Ｄ9を組み合わせてデータＤS1を生成したが、例えば、画像データＤ2，Ｄ8を組み合わせた構成や、画像データＤ3，Ｄ7を組み合わせた構成とすることもできる。あるいは又、画像データＤ1，Ｄ9を改変したデータの組み合わせ等といった構成とすることもできる。画像データの組み合わせは、立体画像表示装置の設計に応じて適宜選択すればよい。
【０１４６】
また、３種以上の画像データを組み合わせてデータＤS1を生成する構成とすることもできる。例えば、画像データＤ1，Ｄ5，Ｄ9を組み合わせた構成や、画像データＤ2，Ｄ5，Ｄ8を組み合わせた構成とすることもできる。あるいは又、画像データＤ1，Ｄ5，Ｄ9を改変したデータの組み合わせ等といった構成とすることもできる。
【０１４７】
［第２の実施形態］
第２の実施形態は、第１の実施形態の変形である。第１の実施形態では、視点Ａ1と視点Ａ9のそれぞれに同一のデータＤS1を対応させた。これに対し、第２の実施形態では、視点Ａ1と視点Ａ9に別の画像データを対応させる。
【０１４８】
動作の概要について説明する。複数の異なる視点用の画像データ（具体的には、画像データＤ1と画像データＤ9）を組み合わせて、第１の実施形態において説明したデータＤS1に加えて更に後述するデータＤS2を生成する。そして、視点Ａ1には、画像データＤ1に変えてデータＤS1を対応させる。一方、視点Ａ9には、画像データＤ9に変えてデータＤS2を対応させる。尚、視点Ａ2乃至Ａ8については、画像データＤ2乃至Ｄ8をそのまま対応させる。そして、図１４に示すフローチャートに基づいて、多視点画像表示データを生成する。
【０１４９】
このようにして生成した多視点画像表示データに基づいて画像表示部１０を動作させることによって、観察領域の端部付近において逆視関係となる２つの画像のそれぞれを、複数の視点用の画像に対応する画像データを組み合わせて表示することができる。
【０１５０】
図２５の（Ａ）は、第２の実施形態におけるデータＤS2（ｊ，ｋ）の生成方法を説明するための模式図である。図２５の（Ｂ）は、第２の実施形態における多視点画像表示データを生成する動作を説明するための模式図である。
【０１５１】
データＤS1（ｊ，ｋ）の生成方法は、第１の実施形態において図２３の（Ａ）を参照して説明したので説明を省略する。
【０１５２】
図２５の（Ａ）と図２３の（Ａ）の対比から明らかなように、データＤS1（ｊ，ｋ）とデータＤS2（ｊ，ｋ）では、データの選択先が相互に入れ替わった関係にある。即ち、「ｊ」が奇数の場合にはＤS2（ｊ，ｋ）＝Ｄ9（ｊ，ｋ）であり、「ｊ」が偶数の場合にはＤS2（ｊ，ｋ）＝Ｄ1（ｊ，ｋ）である。データＤS2（ｊ，ｋ）も、視点Ａ1用と視点Ａ9用の画像データの要素が交互にストライプ状に配列するように組み合わされて生成されている。
【０１５３】
図２６の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０１５４】
図２６の（Ａ）及び（Ｂ）に示すように、視点Ａ9と視点Ａ1で観察される２つの画像のそれぞれは、視点Ａ1用と視点Ａ9用の２つの画像の要素が交互にストライプ状に配列されて成る。具体的には、列方向にストライプ状に延びる画像の要素が、行方向に交互に配列されている。視点Ａ9と視点Ａ1で観察される２つの画像はストライプ配列の位相が異なるものの、実質的にほぼ同一の画像として知覚される。従って、画像間に実質的な視差はない。このように、逆視関係となる画像の対の間での視差量の絶対値を小さくすることができる。
【０１５５】
従って、画像観察者の左眼と右眼のそれぞれが視点Ａ9と視点Ａ1とに位置するとき、画像観察者は２つの視点用の画像が重なった平面的な画像を認識するので、「逆視」に伴う不自然さや不快感を覚えることがない。
【０１５６】
第１の実施形態において説明したように、画像データＤ2，Ｄ8の組み合わせ等といった構成とすることもできるし、３種以上の画像データの組み合わせ等といった構成とすることもできる。画像データの組み合わせは、立体画像表示装置の設計に応じて適宜選択すればよい。
【０１５７】
［第３の実施形態］
第３の実施形態も、本発明の第１の態様に係る立体画像表示装置およびその駆動方法に関する。
【０１５８】
第３の実施形態においても、観察領域の端部付近において逆視関係となる画像の対の双方を、視点用の画像データとは異なるデータを用いて表示する。視点用の画像データとは異なるデータは、複数種の画像データを組み合わせたデータから成る。具体的には、複数種の画像データのそれぞれは、異なる視点用の画像データである。複数種の画像データを組み合わせたデータに基づいて表示される画像は、複数種の画像の要素が市松模様状に配列されて成る。
【０１５９】
第３の実施形態においては、複数の異なる視点用の画像データ（具体的には、画像データＤ1と画像データＤ9）を組み合わせて、後述するデータＤC1を生成する。そして、視点Ａ1には、画像データＤ1に変えてデータＤC1を対応させる。同様に、視点Ａ9にも、画像データＤ9に変えてデータＤC1を対応させる。尚、視点Ａ2乃至Ａ8については、画像データＤ2乃至Ｄ8をそのまま対応させる。そして、図１４に示すフローチャートに基づいて、多視点画像表示データを生成する。
【０１６０】
このようにして生成した多視点画像表示データに基づいて画像表示部１０を動作させることによって、観察領域の端部付近において逆視関係となる２つの画像のそれぞれを、複数の視点用の画像に対応する画像データを組み合わせて表示することができる。
【０１６１】
図２７の（Ａ）は、第３の実施形態におけるデータＤC1（ｊ，ｋ）の生成方法を説明するための模式図である。図２７の（Ｂ）は、第３の実施形態における多視点画像表示データを生成する動作を説明するための模式図である。
【０１６２】
図２７の（Ａ）に示す式から明らかなように、「ｊ＋ｋ」が奇数の場合にはＤC1（ｊ，ｋ）＝Ｄ1（ｊ，ｋ）であり、「ｊ＋ｋ」が偶数の場合にはＤC1（ｊ，ｋ）＝Ｄ9（ｊ，ｋ）である。これによって、データＤC1（ｊ，ｋ）は、視点Ａ1用と視点Ａ9用の画像データの要素が市松模様状に組み合わされて生成されている。
【０１６３】
駆動手段１００には画像データＤ1乃至Ｄ9がそのまま供給される。そして、駆動手段１００の内部で図２７の（Ａ）に示す動作に基づいてデータＤC1を生成し、視点Ａ1に対応する画像データをデータＤC1で置き換え、視点Ａ9に対応する画像データをデータＤC1で置き換える。尚、データＤC1の生成を駆動手段１００の外部で行うといった構成であってもよい。
【０１６４】
図２８の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０１６５】
図２８の（Ａ）及び（Ｂ）に示すように、視点Ａ9と視点Ａ1で観察される２つの画像のそれぞれは、視点Ａ1用と視点Ａ9用の２つの画像の要素が市松模様状に配列されて成る。具体的には、画素毎に市松模様状に配列されている。視点Ａ9と視点Ａ1で観察される２つの画像は同一の画像であるので、画像間には視差はない。このように、逆視関係となる画像の対の間での視差量の絶対値を小さくすることができる。
【０１６６】
従って、画像観察者の左眼と右眼のそれぞれが視点Ａ9と視点Ａ1とに位置するとき、画像観察者は２つの視点用の画像が重なった平面的な画像を認識するので、「逆視」に伴う不自然さや不快感を覚えることがない。複数の画像観察者が異なる位置から１つの立体画像表示装置を観察するといった場合においても、逆視に起因する不自然さや不快感を支障なく軽減することができる。
【０１６７】
また、第１の実施形態と異なり２つの画像の要素が市松模様状に配列されているので、画像観察者は、２つの視点用の画像が重なった平面的な画像をより滑らかな画像として認識する。第３の実施形態は、多視点画像表示データの生成が第１の実施形態よりも若干複雑になるが、画像をより滑らかにすることができるといった利点も備えている。
【０１６８】
第３の実施形態においても、視点Ａ1及び視点Ａ9において観察される画像には、視点Ａ1用と視点Ａ9用の画像成分が含まれている。したがって、視点Ａ1と視点Ａ2で画像を観察する場合若しくは視点Ａ8と視点Ａ9で画像を観察する場合に逆視の関係に伴う不自然さが顕著に知覚されるといったことはない。
【０１６９】
以上の説明では、画像データＤ1，Ｄ9を組み合わせてデータＤC1を生成したが、第１の実施形態において説明したように、画像データＤ2，Ｄ8の組み合わせ等といった構成とすることもできるし、３種以上の画像データの組み合わせ等といった構成とすることもできる。画像データの組み合わせは、立体画像表示装置の設計に応じて適宜選択すればよい。
【０１７０】
［第４の実施形態］
第４の実施形態は、第３の実施形態の変形である。第３の実施形態では、視点Ａ1と視点Ａ9のそれぞれに同一のデータＤC1を対応させた。これに対し、第４の実施形態では、視点Ａ1と視点Ａ9に別の画像データを対応させる。
【０１７１】
動作の概要について説明する。複数の視点用の画像データ（具体的には、画像データＤ1と画像データＤ9）を組み合わせて、第３の実施形態において説明したデータＤC1に加えて更に後述するデータＤC2を生成する。そして、視点Ａ1には、画像データＤ1に変えてデータＤC1を対応させる。一方、視点Ａ9には、画像データＤ9に変えてデータＤC2を対応させる。尚、視点Ａ2乃至Ａ8については、画像データＤ2乃至Ｄ8をそのまま対応させる。そして、図１４に示すフローチャートに基づいて、多視点画像表示データを生成する。
【０１７２】
このようにして生成した多視点画像表示データに基づいて画像表示部１０を動作させることによって、観察領域の端部付近において逆視関係となる２つの画像のそれぞれを、複数の視点用の画像に対応する画像データを組み合わせて表示することができる。
【０１７３】
図２９の（Ａ）は、第４の実施形態におけるデータＤC2（ｊ，ｋ）の生成方法を説明するための模式図である。図２９の（Ｂ）は、第４の実施形態における多視点画像表示データを生成する動作を説明するための模式図である。
【０１７４】
データＤC1（ｊ，ｋ）の生成方法は、第３の実施形態において図２７の（Ａ）を参照して説明したので説明を省略する。
【０１７５】
図２９の（Ａ）と図２７の（Ａ）の対比から明らかなように、データＤC1（ｊ，ｋ）とデータＤC2（ｊ，ｋ）では、データの選択先が相互に入れ替わった関係にある。即ち、「ｊ＋ｋ」が奇数の場合にはＤC2（ｊ，ｋ）＝Ｄ9（ｊ，ｋ）であり、「ｊ＋ｋ」が偶数の場合にはＤC2（ｊ，ｋ）＝Ｄ1（ｊ，ｋ）である。データＤC2（ｊ，ｋ）も、視点Ａ1用と視点Ａ9用の画像データの要素が市松模様状に組み合わされて生成されている。
【０１７６】
図３０の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０１７７】
図３０の（Ａ）及び（Ｂ）に示すように、視点Ａ9と視点Ａ1で観察される２つの画像のそれぞれは、視点Ａ1用と視点Ａ9用の２つの画像の要素が市松模様状に配列されて成る。具体的には、画素毎に市松模様状に配列されている。視点Ａ9と視点Ａ1で観察される２つの画像は市松模様状の配列の位相が異なるものの、実質的にほぼ同一の画像として知覚される。従って、画像間に実質的な視差はない。このように、逆視関係となる画像の対の間での視差量の絶対値を小さくすることができる。
【０１７８】
従って、画像観察者の左眼と右眼のそれぞれが視点Ａ9と視点Ａ1とに位置するとき、画像観察者は２つの視点用の画像が重なった平面的な画像を認識するので、「逆視」に伴う不自然さや不快感を覚えることがない。また、第３の実施形態にあっては、視点Ａ9と視点Ａ1で観察される２つの画像は市松模様状の配列の位相が異なるので、画像観察者は平面的な画像をより滑らかに認識する。
【０１７９】
第４の実施形態においても、第１の実施形態において説明したように、画像データＤ2，Ｄ8の組み合わせ等といった構成とすることもできるし、３種以上の画像データの組み合わせ等といった構成とすることもできる。画像データの組み合わせは、立体画像表示装置の設計に応じて適宜選択すればよい。
【０１８０】
［第５の実施形態］
第５の実施形態も、本発明の第１の態様に係る立体画像表示装置およびその駆動方法に関する。
【０１８１】
第５の実施形態においても、観察領域の端部付近において逆視関係となる画像の対の双方を、視点用の画像データとは異なるデータを用いて表示する。視点用の画像データとは異なるデータは、複数種の画像データを平均したデータである。具体的には、複数種の画像データのそれぞれは、異なる視点用の画像データである。以下の説明においては、相加平均（算術平均）を行うとして説明する。
【０１８２】
図３１の（Ａ）は、第５の実施形態におけるデータＤav（ｊ，ｋ）の生成方法を説明するための模式図である。図３１の（Ｂ）は、第５の実施形態における多視点画像表示データを生成する動作を説明するための模式図である。
【０１８３】
動作の概要について説明する。図３１の（Ａ）に示すように、複数の異なる視点用の画像に対応する画像データ（具体的には、画像データＤ1および画像データＤ9）を相加平均したデータに基づいて、データＤavを生成する。そして、視点Ａ1には、画像データＤ1に変えてデータＤavを対応させる。同様に、視点Ａ9にも、画像データＤ9に変えてデータＤavを対応させる。尚、視点Ａ2乃至Ａ8については、画像データＤ2乃至Ｄ8をそのまま対応させる。そして、図１４に示すフローチャートに基づいて、多視点画像表示データを生成する。
【０１８４】
図３１の（Ａ）に示すように、相加平均は、赤色発光副画素用、緑色発光副画素用および青色発光副画素用のデータそれぞれについて行われる。具体的には、データＤav（ｊ，ｋ）は、Ｄav_R（ｊ，ｋ）、Ｄav_G（ｊ，ｋ）、Ｄav_B（ｊ，ｋ）の組から成る。Ｄav_R（ｊ，ｋ）は、Ｄ1_R（ｊ，ｋ）とＤ9_R（ｊ，ｋ）を相加平均したデータ、Ｄav_G（ｊ，ｋ）は、Ｄ1_G（ｊ，ｋ）とＤ9_G（ｊ，ｋ）を相加平均したデータ、Ｄav_B（ｊ，ｋ）は、Ｄ1_B（ｊ，ｋ）とＤ9_B（ｊ，ｋ）を相加平均したデータである。
【０１８５】
駆動手段１００には画像データＤ1乃至Ｄ9がそのまま供給される。駆動手段１００の内部で図３１の（Ａ）に示す動作に基づいてデータＤavを生成し、視点Ａ1と視点Ａ9に対応する画像データを共にデータＤavで置き換える。尚、データＤavの生成を駆動手段１００の外部で行うといった構成であってもよい。
【０１８６】
図３２の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０１８７】
図３２の（Ａ）及び（Ｂ）に示すように、画像観察者の左眼と右眼のそれぞれが視点Ａ9と視点Ａ1とに位置するとき、共にデータＤavに基づく画像を観察する。視点Ａ9と視点Ａ1で観察される２つの画像は同一の画像であるので、画像間には視差はない。このように、逆視関係となる画像の対の間での視差量の絶対値を小さくすることができる。
【０１８８】
従って、画像観察者の左眼と右眼のそれぞれが視点Ａ9と視点Ａ1とに位置するとき、画像観察者は２つの視点用の画像が重なった平面的な画像を認識するので、「逆視」に伴う不自然さや不快感を覚えることがない。複数の画像観察者が異なる位置から１つの立体画像表示装置を観察するといった場合においても、逆視に起因する不自然さや不快感を支障なく軽減することができる。
【０１８９】
データＤavには、画像データＤ1，Ｄ9の値が反映されている。従って、画像観察者の左眼と右眼のそれぞれが視点Ａ1と視点Ａ2とに位置するとき、左眼で観察する視点Ａ1用の画像と右眼で観察する視点Ａ2用の画像とで逆視の関係を生じ得る。しかしながら、データＤavには画像データＤ1の値も反映されているので、上述の逆視の関係に伴う不自然さが顕著に知覚されるといったことはない。尚、画像観察者の左眼と右眼のそれぞれが視点Ａ8と視点Ａ9とに位置する場合も、基本的には上述したと同様である。
【０１９０】
以上の説明では、画像データＤ1，Ｄ9を用いてデータＤavを生成したが、例えば、画像データＤ2，Ｄ8などを用いてデータＤavを生成した構成や、画像データＤ3，Ｄ7などを用いてデータＤavを生成した構成とすることもできる。どの画像データを選択して相加平均するかは、立体画像表示装置の設計に応じて適宜選択すればよい。
【０１９１】
また、３種以上の画像データを用いてデータＤavを生成する構成とすることもできる。例えば、画像データＤ1，Ｄ5，Ｄ9などを用いてデータＤavを生成する構成や、画像データＤ2，Ｄ5，Ｄ8などを用いてデータＤavを生成する構成とすることもできる。
【０１９２】
［第６の実施形態］
第６の実施形態は、本発明の第２の態様に係る立体画像表示装置およびその駆動方法に関する。
【０１９３】
第６の実施形態においては、観察領域の端部付近において逆視関係となる画像の対の双方を、複数種の画像データを時分割で表示することによって形成する。複数種の画像データのそれぞれは、異なる視点用の画像データである。
【０１９４】
図３３は、第６の実施形態における動作を説明するための模式図である。
【０１９５】
動作について説明する。第６の実施形態では、例えばフレーム周波数を１２０ヘルツとし、２つのフレーム（前半フレームと後半フレーム）から成るフレームの組から構成される画像を表示する。１つのフレームの組において、視点Ａ1と視点Ａ9には、前半フレームと後半フレームとで異なる画像データを対応させる。具体的には、視点Ａ1には、前半フレームと後半フレームに画像データＤ1とＤ9を対応させる。視点Ａ9には、前半フレームと後半フレームに画像データＤ9とＤ1を対応させる。尚、視点Ａ2乃至Ａ8では、前半フレームと後半フレームのいずれにも、画像データＤ2乃至Ｄ8をそのまま対応させる。これによって、視点Ａ1の画像と視点Ａ9の画像が、複数の視点用の画像データを時分割で表示することによって形成される。
【０１９６】
図３４の（Ａ）及び（Ｂ）は、画像観察者の左眼が視点Ａ9に位置するときに観察される前半フレームの画像及び後半フレームの画像を説明するための模式的な平面図である。図３５の（Ａ）及び（Ｂ）は、画像観察者の右眼が視点Ａ1に位置するときに観察される前半フレームの画像及び後半フレームの画像を説明するための模式的な平面図である。
【０１９７】
前半フレームと後半フレームの切り替えが画像観察者に知覚できない程度の速さで行われるので、視覚の残像現象によって、画像観察者は、前半フレームの画像と後半フレームの画像とが重畳された画像を知覚する。視点Ａ9と視点Ａ1で観察される２つの画像は実質的に同一の画像として知覚されるので、画像間に視差はない。このように、逆視関係となる画像の対の間での視差量の絶対値を小さくすることができる。
【０１９８】
従って、画像観察者の左眼と右眼のそれぞれが視点Ａ9と視点Ａ1とに位置するとき、画像観察者は２つの視点用の画像が重なった平面的な画像を認識するので、「逆視」に伴う不自然さや不快感を覚えることがない。複数の画像観察者が異なる位置から１つの立体画像表示装置を観察するといった場合においても、逆視に起因する不自然さや不快感を支障なく軽減することができる。
【０１９９】
第６の実施形態においても、視点Ａ1及び視点Ａ9において観察される画像には、視点Ａ1用と視点Ａ9用の画像成分が含まれている。したがって、視点Ａ1と視点Ａ2で画像を観察する場合若しくは視点Ａ8と視点Ａ9で画像を観察する場合に逆視の関係に伴う不自然さが顕著に知覚されるといったことはない。
【０２００】
また、上述した視点Ａ1と視点Ａ2、あるいは、視点Ａ8と視点Ａ9の逆視の関係に伴う不自然さをより軽減するために、視点Ａ2や視点Ａ8においても、前半フレームと後半フレームにおいて複数の視点用の画像データを時分割で表示するといった構成とすることもできる。
【０２０１】
図３６は、視点Ａ1と視点Ａ2の間および視点Ａ8と視点Ａ9の間における逆視の関係に伴う不自然さを軽減するときの動作を説明するための模式図である。
【０２０２】
この例では、図３３に示す動作に加えて、視点Ａ2には、前半フレームと後半フレームに画像データＤ2とＤ3を対応させる。視点Ａ8には、前半フレームと後半フレームに画像データＤ8とＤ7を対応させる。
【０２０３】
視点Ａ2において観察される画像には視点Ａ2用と視点Ａ3用の画像情報が混在しており、視点Ａ8において観察される画像には視点Ａ8用と視点Ａ7用の画像情報が混在している。これによって、視点Ａ1と視点Ａ2の間および視点Ａ8と視点Ａ9の間における逆視の関係が軽減される。
【０２０４】
以上の説明では、前半フレームと後半フレームにおいて、視点Ａ1には画像データＤ1と画像データＤ9を対応させ、視点Ａ9には画像データＤ9と画像データＤ1を対応させた。第６の実施形態はこれに限るものではなく、例えば、上述の説明において、画像データＤ1，Ｄ9を画像データＤ2，Ｄ8などに置き換えた構成や、画像データＤ3，Ｄ7などに置き換えた構成とすることもできる。あるいは又、図３７に示すような構成とすることもできる。画像データの組み合わせは、立体画像表示装置の設計に応じて適宜選択すればよい。
【０２０５】
図３３乃至図３７に示す動作はプログレッシブ走査を前提とする。第６の実施形態はこれに限るものではなく、インターレース走査を行う構成とすることもできる。一例として、図３３を参照して説明した動作をインターレース走査で行うとした場合の動作を説明する。
【０２０６】
図３８は、インターレース走査を行う場合の例を説明する模式図である。
【０２０７】
インターレース走査を行う構成にあっては、図３８に示すように、１フレームを第１フィールドと第２フィールドから構成し、第１フィールドで奇数行を走査し第２フィールドで偶数行を走査するといった動作を行えばよい。所謂フィールド周波数は、画像表示装置の設計に応じて適宜設定すればよい。
【０２０８】
視点Ａ1で観察される画像は、画像データＤ1の奇数行と画像データＤ9の偶数行が重畳した画像であり、視点Ａ9で観察される画像は、画像データＤ9の奇数行と画像データＤ1の偶数行が重畳した画像である。これらの画像は実質的に同一の画像として知覚されるので実質的な視差はなく、図３３に示す動作と同様に逆視に起因する不自然さや不快感を支障なく軽減することができる。
【０２０９】
［第７の実施形態］
第７の実施形態は、本発明の第１の態様に係る立体画像表示装置およびその駆動方法に関する。
【０２１０】
第７の実施形態においても、観察領域の端部付近において逆視関係となる画像の対の双方を、視点用の画像データとは異なるデータを用いて表示する。具体的には、視点用の画像データとは異なるデータは、他の視点用の画像データである。
【０２１１】
図３９は、第７の実施形態における多視点画像表示データを生成する動作を説明するための模式図である。
【０２１２】
第７の実施形態にあっては、視点Ａ1には、画像データＤ1に変えて画像データＤ2を対応させる。また、視点Ａ9には、画像データＤ9に変えて画像データＤ8を対応させる。尚、視点Ａ2乃至Ａ8については、画像データＤ2乃至Ｄ8をそのまま対応させる。そして、図１４に示すフローチャートに基づいて、多視点画像表示データを生成する。
【０２１３】
従って、画像データＤ1と画像データＤ9は使用しないので、これらのデータを駆動手段１００に供給する必要はなく、省略が可能である。
【０２１４】
図４０の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０２１５】
図４０の（Ａ）及び（Ｂ）に示すように、画像観察者の左眼と右眼のそれぞれが視点Ａ9と視点Ａ1とに位置するとき、画像観察者は左眼で視点Ａ8用の画像を観察し、右眼で視点Ａ2用の画像を観察する。一方、逆視の軽減を行わない場合には、画像観察者は左眼で視点Ａ9用の画像を観察し、右眼で視点Ａ1用の画像を観察する（図２２の（Ａ）及び（Ｂ）参照）。
【０２１６】
このように、逆視関係となる画像の対の間での視差量の絶対値を小さくすることができる。従って、逆視の軽減を行わない場合に比べて、より逆視の程度が少ない画像を観察することになるので、逆視に起因する不自然さや不快感を軽減することができる。
【０２１７】
画像観察者の左眼と右眼のそれぞれが視点Ａ1と視点Ａ2とに位置するとき、あるいは又、左眼と右眼のそれぞれが視点Ａ8と視点Ａ9とに位置するとき、左眼で観察する画像と右眼で観察する画像とは同じ画像となる。従って、定性的には、画像観察者が観察領域の端部に移動するにつれて、画像の立体感は減少する。
【０２１８】
以上の説明では、視点Ａ1には画像データＤ2を対応させ、視点Ａ9には画像データＤ8を対応させたが、これに限るものではない。例えば、視点Ａ1には画像データＤ2を改変したデータを対応させ、視点Ａ9には画像データＤ8を改変したデータを対応させる等といった構成とすることもできる。
【０２１９】
［第８の実施形態］
第８の実施形態も、本発明の第１の態様に係る立体画像表示装置およびその駆動方法に関する。第８の実施形態は、第７の実施形態の変形である。
【０２２０】
図４１は、第８の実施形態における多視点画像表示データを生成する動作を説明するための模式図である。
【０２２１】
第７の実施形態にあっては、視点Ａ1には画像データＤ2を対応させ、視点Ａ9には画像データＤ8を対応させた。これに対し、第８の実施形態にあっては、視点Ａ1には画像データＤ3を対応させ、視点Ａ9には画像データＤ7を対応させる。そして、図１４に示すフローチャートに基づいて、多視点画像表示データを生成する。
【０２２２】
第８の実施形態においても、画像データＤ1と画像データＤ9は使用しない。従って、これらのデータを駆動手段１００に供給する必要はなく、省略が可能である。
【０２２３】
図４２の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０２２４】
図４２の（Ａ）及び（Ｂ）に示すように、画像観察者の左眼と右眼のそれぞれが視点Ａ9と視点Ａ1とに位置するとき、画像観察者は左眼で視点Ａ7用の画像を観察し、右眼で視点Ａ3用の画像を観察する。一方、逆視の軽減を行わない場合には、画像観察者は左眼で視点Ａ9用の画像を観察し、右眼で視点Ａ1用の画像を観察する（図２２の（Ａ）及び（Ｂ）参照）。
【０２２５】
従って、第７の実施形態よりも更に逆視の程度が少ない画像を観察することになるので、逆視に起因する不自然さや不快感をより軽減することができる。
【０２２６】
尚、第８の実施の形態にあっては、画像観察者の左眼と右眼のそれぞれが視点Ａ1と視点Ａ2とに位置するとき、あるいは又、左眼と右眼のそれぞれが視点Ａ8と視点Ａ9とに位置するとき、左眼で観察する画像と右眼で観察する画像とが入れ替わる。
【０２２７】
図４３の（Ａ）及び（Ｂ）は、画像観察者の左眼と右眼のそれぞれが視点Ａ1と視点Ａ2とに位置するときに、左眼で観察される画像及び右眼で観察される画像を説明するための模式的な平面図である。図４４の（Ａ）及び（Ｂ）は、画像観察者の左眼と右眼のそれぞれが視点Ａ8と視点Ａ9とに位置するときに、左眼で観察される画像及び右眼で観察される画像を説明するための模式的な平面図である。
【０２２８】
図４３や図４４の状態では、画像観察者は視差のある画像を逆視することとなる。しかしながら、隣り合う視点の画像が入れ替わった程度の逆視であるので、一般には、逆視に起因する不自然さや不快感を顕著に覚えるといったことはない。
【０２２９】
［第９の実施形態］
第９の実施形態も、本発明の第１の態様に係る立体画像表示装置およびその駆動方法に関する。第９の実施形態は、第８の実施形態の変形である。
【０２３０】
図４５は、第９の実施形態における多視点画像表示データを生成する動作を説明するための模式図である。
【０２３１】
第８の実施形態にあっては、視点Ａ1には画像データＤ3を対応させ、視点Ａ9には画像データＤ7を対応させた。第９の実施形態にあっては、これに加えて、視点Ａ2には視点Ａ1と同様に画像データＤ3を対応させ、視点Ａ8には視点Ａ9と同様に画像データＤ7を対応させる。そして、図１４に示すフローチャートに基づいて、多視点画像表示データを生成する。
【０２３２】
第９の実施形態においては、画像データＤ1及び画像データＤ2、並びに、画像データＤ8及び画像データＤ9は使用しない。従って、これらのデータを駆動手段１００に供給する必要はなく、省略が可能である。
【０２３３】
第９の実施形態にあっては、画像観察者の左眼と右眼のそれぞれが視点Ａ1と視点Ａ2とに位置するとき、あるいは又、左眼と右眼のそれぞれが視点Ａ8と視点Ａ9とに位置するとき、左眼で観察する画像と右眼で観察する画像とは同じ画像となる。従って、第８の実施形態と異なり、画像観察者は視差のある画像を逆視するといったことを生じない。
【０２３４】
［第１０の実施形態］
第１０の実施形態も、本発明の第１の態様に係る立体画像表示装置およびその駆動方法に関する。第１０の実施形態は、第１の実施形態の変形である。
【０２３５】
第１０の実施形態にあっては、観察領域の端部付近において逆視関係となる画像の対の一方を、視点用の画像データとは異なるデータを用いて表示する。視点用の画像データとは異なるデータは、複数種の画像データを組み合わせたデータから成る。具体的には、複数種の画像データのそれぞれは、異なる視点用の画像データである。複数種の画像データを組み合わせたデータに基づいて表示される画像は、複数種の画像の要素が交互にストライプ状に配列されて成る。
【０２３６】
図４６は、第１０の実施形態における多視点画像表示データを生成する動作を説明するための模式図である。
【０２３７】
第１の実施形態では、視点Ａ1と視点Ａ9にデータＤS1を対応させた。これに対し、第１０の実施形態では、視点Ａ1のみにデータＤS1を対応させ、視点Ａ2乃至Ａ9については、画像データＤ2乃至Ｄ9をそのまま対応させる。そして、図１４に示すフローチャートに基づいて、多視点画像表示データを生成する。
【０２３８】
データＤS1（ｊ，ｋ）の生成方法は、第１の実施形態において図２３の（Ａ）を参照して説明したので説明を省略する。
【０２３９】
図４７の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０２４０】
図４７の（Ｂ）に示すように、視点Ａ1で観察される画像には、視点Ａ1用と視点Ａ9用の２つの画像の要素が交互にストライプ状に配列されて成る。このように、逆視関係となる画像の対の間での視差量の絶対値を小さくすることができる。従って、図２２の（Ａ）及び（Ｂ）に示す画像を観察する場合に比べて、逆視の程度が軽減される。
【０２４１】
尚、上述の説明では、視点Ａ1のみにデータＤS1を対応させたが、視点Ａ9のみにデータＤS1を対応させる構成とすることもできる。あるいは又、データＤS1に変えて、第３の実施形態において説明したデータＤS2を用いることもできる。
【０２４２】
［第１１の実施形態］
第１１の実施形態も、本発明の第１の態様に係る立体画像表示装置およびその駆動方法に関する。第１１の実施形態は、第３の実施形態の変形である。
【０２４３】
第１１の実施形態においても、観察領域の端部付近において逆視関係となる画像の対の一方を、視点用の画像データとは異なるデータを用いて表示する。視点用の画像データとは異なるデータは、複数種の画像データを組み合わせたデータから成る。具体的には、複数種の画像データのそれぞれは、異なる視点用の画像データである。複数種の画像データを組み合わせたデータに基づいて表示される画像は、複数種の画像の要素が市松模様状に配列されて成る。
【０２４４】
図４８は、第１１の実施形態における多視点画像表示データを生成する動作を説明するための模式図である。
【０２４５】
第３の実施形態では、視点Ａ1と視点Ａ9にデータＤC1を対応させた。これに対し、第１１の実施形態では、視点Ａ1のみにデータＤC1を対応させ、視点Ａ2乃至Ａ9については、画像データＤ2乃至Ｄ9をそのまま対応させる。そして、図１４に示すフローチャートに基づいて、多視点画像表示データを生成する。
【０２４６】
データＤC1（ｊ，ｋ）の生成方法は、第３の実施形態において図２７の（Ａ）を参照して説明したので説明を省略する。
【０２４７】
図４９の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０２４８】
図４９の（Ｂ）に示すように、視点Ａ1で観察される画像には、視点Ａ1用と視点Ａ9用の２つの画像の要素が市松模様状に配列されて成る。従って、図２２の（Ａ）及び（Ｂ）に示す画像を観察する場合に比べて、逆視の程度が軽減される。
【０２４９】
尚、上述の説明では、視点Ａ1のみにデータＤC1を対応させたが、視点Ａ9のみにデータＤC1を対応させる構成とすることもできる。あるいは又、データＤC1に変えて、第４の実施形態において説明したデータＤC2を用いることもできる。
【０２５０】
［第１２の実施形態］
第１２の実施形態も、本発明に係る立体画像表示装置およびその駆動方法に関する。第１２の実施形態は、第５の実施形態の変形である。
【０２５１】
第１２の実施形態においても、観察領域の端部付近において逆視関係となる画像の対の一方を、少なくとも２つの視点用の画像データを用いて表示する。具体的には、画像の対の一方を、少なくとも２つの視点用の画像データを相加平均したデータに基づいて表示する。
【０２５２】
図５０は、第１２の実施形態における多視点画像表示データを生成する動作を説明するための模式図である。
【０２５３】
第５の実施形態では、視点Ａ1と視点Ａ9にデータＤavを対応させた。これに対し、第１２の実施形態では、視点Ａ1のみにデータＤavを対応させ、視点Ａ2乃至Ａ9については、画像データＤ2乃至Ｄ9をそのまま対応させる。そして、図１４に示すフローチャートに基づいて、多視点画像表示データを生成する。
【０２５４】
データＤav（ｊ，ｋ）の生成方法は、第５の実施形態において図３１の（Ａ）を参照して説明したので説明を省略する。
【０２５５】
図５１の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０２５６】
図５１の（Ｂ）に示す画像には、視点Ａ1用と視点Ａ9用の２つの画像の要素が相加平均されている。逆視関係となる画像の対の間での視差量の絶対値を小さくすることができる。従って、図２２の（Ａ）及び（Ｂ）に示す画像を観察する場合に比べて、逆視の程度が軽減される。
【０２５７】
尚、上述の説明では、視点Ａ1のみにデータＤavを対応させたが、視点Ａ9のみにデータＤavを対応させる構成とすることもできる。
【０２５８】
［第１３の実施形態］
第１３の実施形態は、本発明の第２の態様に係る立体画像表示装置およびその駆動方法に関する。第１３の実施形態は、第６の実施形態の変形である。
【０２５９】
第１３の実施形態においては、観察領域の端部付近において逆視関係となる画像の対の一方を、複数種の画像データを時分割で表示することによって形成する。複数種の画像データのそれぞれは、異なる視点用の画像データである。
【０２６０】
図５２は、第１３の実施形態における動作を説明するための模式図である。
【０２６１】
第６の実施形態では、視点Ａ1と視点Ａ9には、１つのフレームの組において、前半フレームと後半フレームとで異なる画像データを対応させた。これに対し、第１３の実施形態では、視点Ａ1にのみ、前半フレームと後半フレームに画像データＤ1とＤ9を対応させる。尚、視点Ａ2乃至Ａ9では、前半フレームと後半フレームのいずれにおいても、画像データＤ2乃至Ｄ9をそのまま用いる。これによって、視点Ａ1の画像が、複数の視点用の画像データを時分割で表示することによって形成される。
【０２６２】
実質的な効果は、第１１の実施形態や第１２の実施形態と概ね同様であるので説明を省略する。尚、上述の説明では、視点Ａ1においてのみ前半フレームと後半フレームとで異なる画像データを用いたが、視点Ａ9においてのみ前半フレームと後半フレームとで異なる画像データを用いる構成とすることもできる。また、画像データＤ1，Ｄ9を画像データＤ2，Ｄ8に置き換えた構成や、画像データＤ3，Ｄ7に置き換えた構成とすることもできる。更には、図３８を参照して説明したように、インターレース走査を行う構成とすることもできる。
【０２６３】
［第１４の実施形態］
第１４の実施形態は、本発明の第１の態様に係る立体画像表示装置およびその駆動方法に関する。第１４の実施形態は、第７の実施形態の変形である。
【０２６４】
第１４の実施形態においても、観察領域の端部付近において逆視関係となる画像の対の一方を、視点用の画像データとは異なるデータを用いて表示する。具体的には、視点用の画像データとは異なるデータは、他の視点用の画像データである。
【０２６５】
図５３は、第１４の実施形態における多視点画像表示データを生成する動作を説明するための模式図である。
【０２６６】
第７の実施形態にあっては、視点Ａ1には画像データＤ2を、視点Ａ9には画像データＤ8を対応させた。これに対し、第１４の実施形態にあっては、視点Ａ1には、画像データＤ1に変えて画像データＤ5を対応させる。尚、視点Ａ2乃至Ａ9については、画像データＤ2乃至Ｄ9をそのまま対応させる。そして、図１４に示すフローチャートに基づいて、多視点画像表示データを生成する。
【０２６７】
従って、画像データＤ1は使用しないので、これらのデータを駆動手段１００に供給する必要はなく、省略が可能である。
【０２６８】
図５４の（Ａ）及び（Ｂ）は、画像観察者の左眼と右眼のそれぞれが視点Ａ9と視点Ａ1とに位置するときに、左眼で観察される画像及び右眼で観察される画像を説明するための模式的な平面図である。
【０２６９】
図５４の（Ａ）及び（Ｂ）に示すように、画像観察者の左眼と右眼のそれぞれが視点Ａ9と視点Ａ1とに位置するとき、画像観察者は左眼で視点Ａ9用の画像を観察し、右眼で視点Ａ5用の画像を観察する。一方、逆視の軽減を行わない場合には、画像観察者は左眼で視点Ａ9用の画像を観察し、右眼で視点Ａ1用の画像を観察する（図２２の（Ａ）及び（Ｂ）参照）。このように、逆視関係となる画像の対の間での視差量の絶対値を小さくすることができる。
【０２７０】
従って、逆視の軽減を行わない場合に比べて、より逆視の程度が少ない画像を観察することになるので、逆視に起因する不自然さや不快感を軽減することができる。
【０２７１】
尚、上述の説明では、視点Ａ1についてのみ他の視点用の画像データを対応させたが、視点Ａ9についてのみ他の視点用の画像データを対応させる構成とすることもできる。また、上述の説明では、視点Ａ1について画像データＤ5を対応させたが、他の画像データを対応させる構成とすることもできる。
【０２７２】
以上、この発明の実施形態について具体的に説明したが、この発明は、上述の実施形態に限定されるものではなく、この発明の技術的思想に基づく各種の変形が可能である。
【０２７３】
例えば、ＤＰの値を３２．５ｍｍとした構成にあっては、図５５に示すように、左眼が視点Ａ8に位置し右眼が視点Ａ1に位置する場合（図に示す逆視関係１）と、左眼が視点Ａ9に位置し右眼が視点Ａ2に位置する場合（図に示す逆視関係２）とで、逆視の関係が生ずる。この場合には、実施形態において視点Ａ9，Ａ1の組み合わせについて説明した動作を、視点Ａ8，Ａ1の組み合わせと、視点Ａ9，Ａ2の組み合わせのそれぞれについて、適宜読み替えて行えばよい。
【０２７４】
また、立体画像表示装置は、例えば、図５６に示すように、光学分離部の開口部が連続したスリット状である構成とすることもできる。この場合の開口部と副画素との配置関係を図５７に示す。
【０２７５】
あるいは又、図５８に示すように、光学分離部の開口部が垂直方向に伸びる構成とすることもできる。この構成にあっては、各視点用の画像の画素は行方向に並ぶ３つの副画素から構成されている。この場合の開口部と副画素との配置関係を図５９に示す。
【符号の説明】
【０２７６】
１・・・立体画像表示装置、１０・・・画像表示部、１１・・・表示領域、１２・・・副画素、２０・・・照明部、２１・・・発光面、３０・・・光学分離部、３１・・・開口部、３２・・・遮光部、１００・・・駆動手段、１１２，２１２，４１２，５１２，８１２，９１２・・・画素、ＷＡL，ＷＡC，ＷＡR・・・観察領域、Ａ1，Ａ2，Ａ3，Ａ4，Ａ5，Ａ6，Ａ7，Ａ8，Ａ9・・・視点
【図１】
0005617624.tif 000002
【図２】
0005617624.tif 000003
【図３】
0005617624.tif 000004
【図４】
0005617624.tif 000005
【図５】
0005617624.tif 000006
【図６】
0005617624.tif 000007
【図７】
0005617624.tif 000008
【図８】
0005617624.tif 000009
【図９】
0005617624.tif 000010
【図１０】
0005617624.tif 000011
【図１１】
0005617624.tif 000012
【図１２】
0005617624.tif 000013
【図１３】
0005617624.tif 000014
【図１４】
0005617624.tif 000015
【図１５】
0005617624.tif 000016
【図１６】
0005617624.tif 000017
【図１７】
0005617624.tif 000018
【図１８】
0005617624.tif 000019
【図１９】
0005617624.tif 000020
【図２０】
0005617624.tif 000021
【図２１】
0005617624.tif 000022
【図２２】
0005617624.tif 000023
【図２３】
0005617624.tif 000024
【図２４】
0005617624.tif 000025
【図２５】
0005617624.tif 000026
【図２６】
0005617624.tif 000027
【図２７】
0005617624.tif 000028
【図２８】
0005617624.tif 000029
【図２９】
0005617624.tif 000030
【図３０】
0005617624.tif 000031
【図３１】
0005617624.tif 000032
【図３２】
0005617624.tif 000033
【図３３】
0005617624.tif 000034
【図３４】
0005617624.tif 000035
【図３５】
0005617624.tif 000036
【図３６】
0005617624.tif 000037
【図３７】
0005617624.tif 000038
【図３８】
0005617624.tif 000039
【図３９】
0005617624.tif 000040
【図４０】
0005617624.tif 000041
【図４１】
0005617624.tif 000042
【図４２】
0005617624.tif 000043
【図４３】
0005617624.tif 000044
【図４４】
0005617624.tif 000045
【図４５】
0005617624.tif 000046
【図４６】
0005617624.tif 000047
【図４７】
0005617624.tif 000048
【図４８】
0005617624.tif 000049
【図４９】
0005617624.tif 000050
【図５０】
0005617624.tif 000051
【図５１】
0005617624.tif 000052
【図５２】
0005617624.tif 000053
【図５３】
0005617624.tif 000054
【図５４】
0005617624.tif 000055
【図５５】
0005617624.tif 000056
【図５６】
0005617624.tif 000057
【図５７】
0005617624.tif 000058
【図５８】
0005617624.tif 000059
【図５９】
0005617624.tif 000060
【図６０】
0005617624.tif 000061
【図６１】
0005617624.tif 000062